(57)【要約】【課題】ストレージサービスを通じてデータファイルのアップロードまたはダウンロードを含む処理を実行する場合に認証処理用の情報の入力作業を簡易化できる情報処理装置、画像処理装置およびストレージサービス利用方法を提供すること。【解決手段】情報処理部８は、端末認証情報と複数のサーバー認証情報およびそれらの宛先情報とを対応づけて記憶可能な記憶部８２の情報を参照し、端末認証処理が成功した場合に、対応するサーバー認証情報を宛先情報の宛先へ送信してサーバー認証処理を要求する。そのサーバー認証処理が成功した場合に、情報処理部８はストレージサービスを通じてデータファイルをダウンロードまたはアップロードする。【選択図】図３
2017156777.tif 000002
【特許請求の範囲】
【請求項１】
ネットワークを通じて受信した第１認証用入力情報と予め記憶部に記憶された第１認証情報とを照合して認証成否を判定する第１認証処理を実行し、前記第１認証処理が成功した場合に、前記第１認証用入力情報の送信元に対して前記ネットワークを通じてストレージサービスを提供する複数のストレージサーバーと通信可能な情報処理装置であって、
第２認証情報と複数の前記第１認証情報および複数の前記ストレージサーバーの前記ネットワーク上の宛先情報とを対応づけて記憶可能な対応認証情報記憶部と、
第２認証用入力情報を入力する第２認証用情報入力部と、
前記第２認証用入力情報と前記対応認証情報記憶部の前記第２認証情報とを照合して認証成否を判定する第２認証処理を実行する第２認証処理部と、
前記第２認証処理が成功した場合に、成功した前記第２認証処理で用いられた前記第２認証情報に対応する前記対応認証情報記憶部の前記第１認証情報をこれに対応する前記宛先情報の宛先へ送信することにより、前記ストレージサーバーに前記第１認証処理を要求する第１認証要求部と、
前記第１認証要求部が要求した前記第１認証処理が成功した場合に、成功した前記第１認証処理の要求先である前記ストレージサーバーの前記ストレージサービスを通じてデータファイルをダウンロードまたはアップロードするストレージサービスアクセス処理を実行するストレージサービスアクセス部と、を備える情報処理装置。
【請求項２】
前記ストレージサービスを通じてダウンロードされた前記データファイルに基づく画像を形成する画像形成部と、原稿の画像を読み取ることにより前記ストレージサービスを通じてアップロードされる画像データファイルの元になる画像データを生成する画像読取部と、のうちの少なくとも一方をさらに備える、請求項１に記載の情報処理装置。
【請求項３】
前記第２認証処理が成功した前記第２認証情報が前記対応認証情報記憶部において複数の前記宛先情報に対応づけられている場合に、それら複数の前記宛先情報に対応する複数の前記ストレージサーバーの中から前記ストレージサービスアクセス処理の１つ以上のアクセス先を選択するストレージサービスアクセス先選択部をさらに備える、請求項１または請求項２に記載の情報処理装置。
【請求項４】
成功した前記第１認証処理の要求先の前記ストレージサーバーからアップロード済みデータファイルの情報を取得するアップロード済みデータファイル情報取得部と、
前記アップロード済みデータファイルの情報を出力するとともに操作部に対する操作に従って前記ストレージサービスアクセス処理においてダウンロードするデータファイルを選択するデータファイル選択部と、をさらに備える、請求項１から請求項３のいずれか１項に記載の情報処理装置。
【請求項５】
前記第２認証処理が成功した場合に、操作部に対する操作に従って前記第１認証情報を入力する第１認証情報入力部と、
入力された前記第１認証情報と成功した前記第２認証処理で用いられた前記第２認証情報とを対応づけて前記対応認証情報記憶部へ記録する対応認証情報記録部をさらに備える、請求項１から請求項４のいずれか１項に記載の情報処理装置。
【請求項６】
前記第１認証情報入力部が前記第１認証情報を入力した場合にも、前記第１認証要求部は、入力された前記第１認証情報をこれに対応する前記宛先情報の宛先へ送信することにより、前記ストレージサーバーに前記第１認証処理を要求し、
前記第１認証要求部が要求した前記第１認証処理が成功した場合にのみ、前記対応認証情報記録部は、前記第１認証情報入力部が入力した前記第１認証情報と成功した前記第２認証処理で用いられた前記第２認証情報とを対応づけて前記対応認証情報記憶部へ記録する、請求項５に記載の情報処理装置。
【請求項７】
前記ストレージサービスを受けるために登録が必要な前記第１認証情報を含む登録用サーバーアカウント情報および登録先の前記宛先情報を設定するストレージサービス登録情報設定部と、
前記ストレージサービス登録情報設定部が設定した前記登録用サーバーアカウント情報を登録先の前記宛先情報の宛先へ送信することにより、前記ストレージサーバーに前記登録用サーバーアカウント情報の登録処理を要求するストレージサービスアカウント登録要求部と、をさらに備え、
前記ストレージサービスアカウント登録要求部が要求した前記登録処理が完了した場合に、前記対応認証情報記録部は、前記ストレージサービス登録情報設定部が設定した前記登録用サーバーアカウント情報の前記第１認証情報および登録先の前記宛先情報と成功した前記第２認証処理で用いられた前記第２認証情報とを対応づけて前記対応認証情報記憶部へ記録する、請求項５または請求項６に記載の情報処理装置。
【請求項８】
前記ストレージサービス登録情報設定部が１つの前記登録用サーバーアカウント情報とこれに対応する複数の前記宛先情報とを設定した場合に、前記ストレージサービスアカウント登録要求部は、前記ストレージサービス登録情報設定部が設定した１つの前記登録用サーバーアカウント情報を複数の前記宛先情報各々の宛先へ送信することにより、複数の前記ストレージサーバー各々に前記登録用サーバーアカウント情報の登録処理を要求する、請求項７に記載の情報処理装置。
【請求項９】
ネットワークを通じて受信した第１認証用入力情報と予め記憶部に記憶された第１認証情報とを照合して認証成否を判定する第１認証処理を実行し、前記第１認証処理が成功した場合に、前記第１認証用入力情報の送信元に対して前記ネットワークを通じてストレージサービスを提供する複数のストレージサーバーと通信可能な画像処理装置であって、
第２認証情報と複数の前記第１認証情報および複数の前記ストレージサーバーの前記ネットワーク上の宛先情報とを対応づけて記憶可能な対応認証情報記憶部と、
第２認証用入力情報を入力する第２認証用情報入力部と、
前記第２認証用入力情報と前記対応認証情報記憶部の前記第２認証情報とを照合して認証成否を判定する第２認証処理を実行する第２認証処理部と、
前記第２認証処理が成功した場合に、成功した前記第２認証処理で用いられた前記第２認証情報に対応する前記対応認証情報記憶部の前記第１認証情報をこれに対応する前記宛先情報の宛先へ送信することにより、前記ストレージサーバーに前記第１認証処理を要求する第１認証要求部と、
前記第１認証要求部が要求した前記第１認証処理が成功した場合に、成功した前記第１認証処理の要求先である前記ストレージサーバーの前記ストレージサービスを通じてデータファイルをダウンロードまたはアップロードするストレージサービスアクセス処理を実行するストレージサービスアクセス部と、
前記ストレージサービスを通じてダウンロードされた前記データファイルに基づく画像を形成する画像形成部および原稿の画像を読み取ることにより前記ストレージサービスを通じてアップロードされる画像データファイルの元になる画像データを生成する画像読取部のうちの少なくとも一方と、を備える画像処理装置。
【請求項１０】
ネットワークを通じて受信した第１認証用入力情報と予め記憶部に記憶された第１認証情報とを照合して認証成否を判定する第１認証処理を実行し、前記第１認証処理が成功した場合に、前記第１認証用入力情報の送信元に対して前記ネットワークを通じてストレージサービスを提供する複数のストレージサーバーと通信可能な情報処理装置が実行するストレージサービス利用方法であって、
第２認証用入力情報を入力する第２認証用情報入力工程と、
第２認証情報と複数の前記第１認証情報および複数の前記ストレージサーバーの前記ネットワーク上の宛先情報とを対応づけて記憶可能な対応認証情報記憶部の情報を参照する記憶部参照工程と、
前記第２認証用入力情報と前記対応認証情報記憶部の前記第２認証情報とを照合して認証成否を判定する第２認証処理を実行する第２認証処理工程と、
前記第２認証処理が成功した場合に、前記対応認証情報記憶部の情報を参照し、成功した前記第２認証処理で用いられた前記第２認証情報に対応する前記対応認証情報記憶部の前記第１認証情報をこれに対応する前記宛先情報の宛先へ送信することにより、前記ストレージサーバーに前記第１認証処理を要求する第１認証要求工程と、
前記第１認証処理が成功した場合に、成功した前記第１認証処理の要求先である前記ストレージサーバーの前記ストレージサービスを通じてデータファイルをダウンロードまたはアップロードするストレージサービスアクセス処理を実行するストレージサービスアクセス工程と、を含むストレージサービス利用方法。
【請求項１１】
ネットワークを通じて受信した第１認証用入力情報と予め記憶部に記憶された第１認証情報とを照合して認証成否を判定する第１認証処理を実行し、前記第１認証処理が成功した場合に、前記第１認証用入力情報の送信元に対して前記ネットワークを通じてストレージサービスを提供する複数のストレージサーバーと通信可能な情報処理装置のプロセッサーに、
第２認証用入力情報を入力する第２認証用情報入力工程と、
第２認証情報と複数の前記第１認証情報および複数の前記ストレージサーバーの前記ネットワーク上の宛先情報とを対応づけて記憶可能な対応認証情報記憶部の情報を参照する記憶部参照工程と、
前記第２認証用入力情報と前記対応認証情報記憶部の前記第２認証情報とを照合して認証成否を判定する第２認証処理を実行する第２認証処理工程と、
前記第２認証処理が成功した場合に、前記対応認証情報記憶部の情報を参照し、成功した前記第２認証処理で用いられた前記第２認証情報に対応する前記対応認証情報記憶部の前記第１認証情報をこれに対応する前記宛先情報の宛先へ送信することにより、前記ストレージサーバーに前記第１認証処理を要求する第１認証要求工程と、
前記第１認証処理が成功した場合に、成功した前記第１認証処理の要求先である前記ストレージサーバーの前記ストレージサービスを通じてデータファイルをダウンロードまたはアップロードするストレージサービスアクセス処理を実行するストレージサービスアクセス工程と、を実行させるためのストレージサービス利用プログラム。
【発明の詳細な説明】
【技術分野】
【０００１】
本発明は、ストレージサーバーと通信可能な情報処理装置、画像処理装置、ストレージサービス利用方法およびストレージサービス利用プログラムに関する。
【背景技術】
【０００２】
一般に、ストレージサーバー（ストレージサービス提供装置）が、インターネットなどのネットワークを通じて情報処理装置（端末装置）に対してストレージサービスを提供することが知られている。前記ストレージサービスは、前記ネットワークを通じて前記情報処理装置から送信されるデータファイルを記憶部に保存するアップロードサービスと、前記アップロードサービスにより前記記憶部に保存された前記データファイルを前記情報処理装置へ送信するダウンロードサービスとを含む。
【０００３】
また、前記ストレージサーバーは、前記ネットワークを通じて受信した認証用入力情報と予め記憶部に記憶された認証情報とを照合して認証成否を判定する認証処理を実行する。前記ストレージサーバーは、前記認証処理が成功した場合にのみ、前記認証用入力情報の送信元に対して前記ストレージサービスを提供する。アップロードされた前記データファイルは、前記認証情報と対応づけられた状態で記憶部に保存される。
【０００４】
また、情報処理装置が、ユーザー認証が成功した場合に、認証情報に対応づけられた印刷ジョブをドキュメント蓄積装置から取得し、さらにその印刷ジョブを画像形成装置へ送信することが知られている（例えば、特許文献１参照）。
【先行技術文献】
【特許文献】
【０００５】
【特許文献１】特開２０１１−８１７４１号公報
【発明の概要】
【発明が解決しようとする課題】
【０００６】
ところで、前記情報処理装置が、それ自体の使用を可能にするための前記認証処理を実行する機能を有する場合がある。例えば、前記情報処理装置が、画像形成装置または画像読取装置などの画像処理装置である場合、その画像処理装置が、画像処理を可能にするための前記認証処理を実行する機能を有する場合がある。
【０００７】
前記情報処理装置において、前記情報処理装置の前記認証処理用の情報と前記ストレージサーバーの前記認証処理用の情報とを個別に入力する作業は繁雑である。また、前記情報処理装置において、複数の前記ストレージサーバーとの間で前記データファイルのアップロードまたはダウンロードを実行したいというニーズがある。この場合、前記情報処理装置と複数の前記ストレージサーバー各々とについて個別に前記認証処理用の情報を入力する作業はさらに繁雑である。
【０００８】
本発明の目的は、ストレージサービスを通じてデータファイルのアップロードまたはダウンロードを含む処理を実行する場合に認証処理用の情報の入力作業を簡易化できる情報処理装置、画像処理装置、ストレージサービス利用方法およびストレージサービス利用プログラムを提供することにある。
【課題を解決するための手段】
【０００９】
本発明の一の局面に係る情報処理装置は、複数のストレージサーバーと通信可能であり、対応認証情報記憶部と、第２認証用情報入力部と、第２認証処理部と、第１認証要求部と、ストレージサービスアクセス部とを備える。前記ストレージサーバー各々は、ネットワークを通じて受信した第１認証用入力情報と予め記憶部に記憶された第１認証情報とを照合して認証成否を判定する第１認証処理を実行する。さらに、前記ストレージサーバー各々は、前記第１認証処理が成功した場合に、前記第１認証用入力情報の送信元に対して前記ネットワークを通じてストレージサービスを提供する。前記対応認証情報記憶部は、第２認証情報と複数の前記第１認証情報および複数の前記ストレージサーバーの前記ネットワーク上の宛先情報とを対応づけて記憶可能な記憶部である。前記第２認証用情報入力部は、第２認証用入力情報を入力する。前記第２認証処理部は、前記第２認証用入力情報と前記対応認証情報記憶部の前記第２認証情報とを照合して認証成否を判定する第２認証処理を実行する。前記第１認証要求部は、前記第２認証処理が成功した場合に、成功した前記第２認証処理で用いられた前記第２認証情報に対応する前記対応認証情報記憶部の前記第１認証情報をこれに対応する前記宛先情報の宛先へ送信することにより、前記ストレージサーバーに前記第１認証処理を要求する。前記ストレージサービスアクセス部は、前記第１認証要求部が要求した前記第１認証処理が成功した場合にストレージサービスアクセス処理を実行する。前記ストレージサービスアクセス処理は、成功した前記第１認証処理の要求先である前記ストレージサーバーの前記ストレージサービスを通じてデータファイルをダウンロードまたはアップロードする処理である。
【００１０】
本発明の他の局面に係る画像処理装置は、複数の前記ストレージサーバーと通信可能であり、前記対応認証情報記憶部と、前記第２認証用情報入力部と、前記第２認証処理部と、前記第１認証要求部と、前記ストレージサービスアクセス部と、画像形成部および画像読取部のうち少なくとも一方とを備える。前記画像形成部は、前記ストレージサービスを通じてダウンロードされた前記データファイルに基づく画像を形成する。前記画像読取部は、原稿の画像を読み取ることにより前記ストレージサービスを通じてアップロードされる画像データファイルの元になる画像データを生成する。
【００１１】
本発明の他の局面に係るストレージサービス利用方法は、ネットワークを通じて受信した第１認証用入力情報と予め記憶部に記憶された第１認証情報とを照合して認証成否を判定する第１認証処理を実行し、前記第１認証処理が成功した場合に、前記第１認証用入力情報の送信元に対して前記ネットワークを通じてストレージサービスを提供する複数のストレージサーバーと通信可能な情報処理装置が実行する方法である。本方法は、第２認証用情報入力工程と、第２認証処理工程と、記憶部参照工程と、第１認証要求工程と、ストレージサービスアクセス工程とを含む。前記第２認証用情報入力工程は、第２認証用入力情報を入力する工程である。前記記憶部参照工程は、第２認証情報と複数の前記第１認証情報および複数の前記ストレージサーバーの前記ネットワーク上の宛先情報とを対応づけて記憶可能な対応認証情報記憶部の情報を参照する工程である。前記第２認証処理工程は、前記第２認証用入力情報と前記対応認証情報記憶部の前記第２認証情報とを照合して認証成否を判定する第２認証処理を実行する工程である。前記第１認証要求工程は、前記第２認証処理が成功した場合に、成功した前記第２認証処理で用いられた前記第２認証情報に対応する前記認証情報記憶部の前記第１認証情報をこれに対応する前記宛先情報の宛先へ送信することにより、前記ストレージサーバーに前記第１認証処理を要求する工程である。前記ストレージサービスアクセス工程は、前記第１認証要求工程での前記第１認証処理が成功した場合に、成功した前記第１認証処理の要求先である前記ストレージサーバーの前記ストレージサービスを通じてデータファイルをダウンロードまたはアップロードするストレージサービスアクセス処理を実行する工程である。
【００１２】
本発明の他の局面に係るストレージサービス利用プログラムは、複数の前記ストレージサーバーと通信可能な情報処理装置のプロセッサーに、第２認証用情報入力工程と、記憶部参照工程と、第２認証処理工程と、第１認証要求工程と、ストレージサービスアクセス工程とを実行させるためのプログラムである。前記第２認証用情報入力工程は、第２認証用入力情報を入力する工程である。前記記憶部参照工程は、第２認証情報と複数の前記第１認証情報および複数の前記ストレージサーバーの前記ネットワーク上の宛先情報とを対応づけて記憶可能な対応認証情報記憶部の情報を参照する工程である。前記第２認証処理工程は、前記第２認証用入力情報と前記対応認証情報記憶部の前記第２認証情報とを照合して認証成否を判定する第２認証処理を実行する工程である。前記第１認証要求工程は、前記第２認証処理が成功した場合に、前記対応認証情報記憶部の情報を参照し、成功した前記第２認証処理で用いられた前記第２認証情報に対応する前記対応認証情報記憶部の前記第１認証情報をこれに対応する前記宛先情報の宛先へ送信することにより、前記ストレージサーバーに前記第１認証処理を要求する工程である。前記ストレージサービスアクセス工程は、前記第１認証処理が成功した場合に、成功した前記第１認証処理の要求先である前記ストレージサーバーの前記ストレージサービスを通じてデータファイルをダウンロードまたはアップロードするストレージサービスアクセス処理を実行する工程である。
【発明の効果】
【００１３】
本発明によれば、ストレージサービスを通じてデータファイルのアップロードまたはダウンロードを含む処理を実行する場合に認証処理用の情報の入力作業を簡易化できる情報処理装置、画像処理装置およびストレージサービス利用方法を提供することが可能になる。
【図面の簡単な説明】
【００１４】
【図１】図１は、本発明の第１実施形態に係る画像処理装置を含むストレージサービスシステムのブロック図である。
【図２】図２は、本発明の第１実施形態に係る画像処理装置の構成図である。
【図３】図３は、本発明の第１実施形態に係る画像処理装置における情報処理部のブロック図である。
【図４】図４は、本発明の第１実施形態に係る画像処理装置が実行するストレージサービス利用開始処理の手順の一例を示すフローチャートである。
【図５】図５は、本発明の第１実施形態に係る画像処理装置が実行する端末アカウント登録処理の手順の一例を示すフローチャートである。
【図６】図６は、本発明の第１実施形態に係る画像処理装置が実行する端末ログイン処理の手順の一例を示すフローチャートである。
【図７】図７は、本発明の第１実施形態に係る画像処理装置が実行するジョブ選択・実行処理の手順の一例を示すフローチャートである。
【図８】図８は、本発明の第１実施形態に係る画像処理装置が実行するデータファイルのプリント処理の手順の一例を示すフローチャートである。
【図９】図９は、本発明の第１実施形態に係る画像処理装置が実行するスキャン画像ファイルの保存処理の手順の一例を示すフローチャートである。
【図１０】図１０は、本発明の第１実施形態に係るサービス追加・削除処理の手順の一例を示すフローチャート図である。
【図１１】図１１は、本発明の第１実施形態に係る画像処理装置が出力するログイン画面の一例を示す図である。
【図１２】図１２は、本発明の第１実施形態に係る画像処理装置が出力する端末アカウント登録画面の一例を示す図である。
【図１３】図１３は、本発明の第１実施形態に係る画像処理装置が出力するログイン画面の一例を示す図である。
【図１４】図１４は、本発明の第１実施形態に係る画像処理装置が出力するジョブ選択画面の一例を示す図である。
【図１５】図１５は、本発明の第１実施形態に係る画像処理装置が出力するデータファイル選択画面の一例を示す図である。
【図１６】図１６は、本発明の第１実施形態に係る画像処理装置が出力するデータファイル選択画面の一例を示す図である。
【図１７】図１７は、本発明の第１実施形態に係る画像処理装置が出力するデータファイル選択画面の一例を示す図である。
【図１８】図１８は、本発明の第１実施形態に係る画像処理装置が出力するプレビュー画面の一例を示す図である。
【図１９】図１９は、本発明の第１実施形態に係る画像処理装置が出力する保存先選択画面の一例を示す図である。
【図２０】図２０は、本発明の第１実施形態に係る画像処理装置が出力する確認画面の一例を示す図である。
【図２１】図２１は、本発明の第１実施形態に係る画像処理装置が出力する第１ストレージサービス選択画面の一例を示す図である。
【図２２】図２２は、本発明の第１実施形態に係る画像処理装置が出力する第２ストレージサービス選択画面の一例を示す図である。
【図２３】図２３は、本発明の第１実施形態に係る画像処理装置が出力するサーバー認証情報入力画面の一例を示す図である。
【図２４】図２４は、本発明の第１実施形態に係る画像処理装置が出力する第１ストレージサービス選択画面の一例を示す図である。
【図２５】図２５は、本発明の第１実施形態に係る画像処理装置が出力する第１ストレージサービス選択画面の一例を示す図である。
【図２６】図２６は、本発明の第１実施形態に係る画像処理装置が参照する端末アカウント情報のデータ構成図である。
【図２７】図２７は、本発明の第１実施形態に係る画像処理装置が参照するサーバーマスター情報のデータ構成図である。
【図２８】図２８は、本発明の第１実施形態に係るサーバーアカウント情報のデータ構成図である。
【図２９】図２９は、本発明の第２実施形態に係る画像処理装置が出力するジョブ選択画面の一例を示す図である。
【図３０】図３０は、本発明の第２実施形態に係る画像処理装置が出力する第３ストレージサービス選択画面の一例を示す図である。
【図３１】図３１は、本発明の第２実施形態に係る画像処理装置が出力する登録用サーバーアカウント情報入力画面の一例を示す図である。
【図３２】図３２は、本発明の第２実施形態に係る画像処理装置が出力する変更用サーバーアカウント情報入力画面の一例を示す図である。
【発明を実施するための形態】
【００１５】
以下、添付図面を参照しながら、本発明の実施形態について説明する。なお、以下の実施形態は、本発明を具体化した一例であって、本発明の技術的範囲を限定する性格を有さない。
【００１６】
［第１実施形態］
まず、図１〜３を参照しつつ、本発明の第１実施形態に係る画像処理装置１０の概略構成について説明する。前記画像処理装置１０は、ネットワーク７０を通じて複数のストレージサーバー７（ストレージサービス提供装置）と通信可能な情報処理装置の一例である。
【００１７】
前記ストレージサーバー７各々は、前記ネットワーク７０を通じてストレージサービスを提供するストレージサーバーである。前記ストレージサーバー７各々は、前記画像処理装置１０などの前記情報処理装置からの要求に応じてサーバー認証処理を実行する。前記サーバー認証処理は、前記ネットワーク７０を通じて前記画像処理装置１０などの前記情報処理装置から受信したサーバー認証用入力情報（第１認証用入力情報）と予め記憶部に記憶されたサーバー認証情報（第１認証情報）とを照合して認証成否を判定する処理である。なお、前記サーバー認証処理、前記サーバー認証用入力情報および前記サーバー認証情報は、それぞれ第１認証処理、第１認証用入力情報および第１認証情報の一例である。
【００１８】
さらに、前記ストレージサーバー７各々は、前記サーバー認証処理が成功した場合に、前記サーバー認証用入力情報の送信元に対して前記ネットワーク７０を通じて前記ストレージサービスを提供する。前記ストレージサービスは、前記ネットワーク７０を通じて前記情報処理装置から送信されるデータファイルを記憶部に保存するアップロードサービスと、前記アップロードサービスにより前記記憶部に保存された前記データファイルを前記情報処理装置へ送信するダウンロードサービスとを含む。
【００１９】
前記画像処理装置１０は、少なくとも画像形成部４および画像読取部１１の一方を備える前記情報処理装置の一例である。本実施形態において、前記画像処理装置１０は前記画像形成部４および前記画像読取部１１を備える複合機である。本発明に係る画像処理装置の他の例として、プリンター（画像形成装置）、コピー機またはファクシミリなども考えられる。
【００２０】
前記画像形成部４は、前記ストレージサービスを通じてダウンロードされた前記データファイルに基づく画像を記録シート９に形成することができる。また、前記画像読取部１１は、原稿９０の画像を読み取ることにより前記ストレージサービスを通じてアップロードされる画像データファイルを生成することができる。なお、前記画像処理装置１０が前記画像形成部４および前記画像読取部１１の一方のみを備えることも考えられる。
【００２１】
図２が示すように、前記画像処理装置１０は、原稿搬送読取部１、シート供給部２、シート搬送部３、前記画像形成部４、光走査部５、定着部６、情報処理部８および操作表示部８０などを備える。
【００２２】
前記原稿搬送読取部１は、前記画像読取部１１およびＡＤＦ（Auto Document Feeder）１２を備えている。前記画像読取部１１は、原稿台１１１、読取ユニット１１２、ミラーおよびレンズなどの光学系１１３及びＣＣＤ（Charge Coupled Device）１１４などを備える。
【００２３】
前記原稿台１１１は、前記画像読取部１１の上面に設けられた原稿が載置される部分である。前記読取ユニット１１２は、前記原稿台１１１上の読取位置にある前記原稿９０に光を照射し、その反射光を前記光学系１１３へ向けて反射する。前記読取ユニット１１２は、副走査方向（図に向かって左右の方向）に移動可能である。前記光学系１１３は、前記原稿９０からの反射光を前記ＣＣＤ１１４へ導く。前記ＣＣＤ１１４は、受光量に応じた電気信号を前記原稿９０の画像を表す画像データとして前記情報処理部８へ出力する光電変換素子などを有する。
【００２４】
前記ＡＤＦ１２は、複数の搬送ローラー１２２各々を駆動させることにより、原稿載置部１２１にセットされた前記原稿９０を前記画像読取部１１による画像の読取位置を通過させて排紙トレイ１２３まで搬送する。
【００２５】
前記シート供給部２は、シート受部２１およびシート送出部２２を備えている。前記シート受部２１は、複数の記録シート９を重ねて載置可能に構成されている。前記記録シート９は、紙、コート紙、ハガキ、封筒、およびＯＨＰシートなどのシート状の画像形成媒体である。
【００２６】
前記シート送出部２２は、前記シート受部２１に載置された前記記録シート９を１枚ずつ前記シート搬送部３の搬送路３０へ向けて送り出す。
【００２７】
前記シート搬送部３は、レジストローラー３１、搬送ローラー３２および排出ローラー３３などを備える。前記レジストローラー３１および前記搬送ローラー３２が、前記シート供給部２から供給される前記記録シート９を前記画像形成部４へ向けて搬送する。さらに、前記排出ローラー３３が画像形成後の前記記録シート９を前記搬送路３０の排出口から排出トレイ１０１上へ排出する。
【００２８】
前記画像形成部４は、前記シート送出部２２から供給されて前記搬送路３０を移動中の前記記録シート９の表面に画像を形成する。前記画像形成部４は、ドラム状の感光体４１、帯電部４２、現像部４３、転写部４５およびクリーニング部４７などを備える。なお、前記感光体４１は像担持体の一例である。
【００２９】
前記感光体４１が回転し、前記帯電部４２が前記感光体４１の表面を一様に帯電させる。さらに、前記光走査部５がレーザー光を走査することにより帯電した前記感光体４１の表面に静電潜像を書き込み、前記現像部４３が前記感光体４１にトナーを供給することにより、前記静電潜像をトナー像へ現像する。
【００３０】
さらに、前記転写部４５が、前記感光体４１の前記トナー像を前記搬送路３０を移動中の前記記録シート９に転写する。最後に、前記クリーニング部４７が前記感光体４１表面に残存する前記トナーを除去する。
【００３１】
前記定着部６は、ハロゲンヒーターなどのヒーターを内包する定着ローラー６１と加圧ローラー６２との間に前記トナー像が形成された前記記録シート９を挟み込み、後工程へ送り出す。これにより、前記定着部６は、前記記録シート９上の前記トナー像（画像）を加熱し、前記記録シート９上に画像を定着させる。
【００３２】
前記操作表示部８０は、例えばタッチパネルおよび操作ボタンなどを含む操作入力部であるとともに、液晶表示パネルおよび通知ランプなどを含む表示部でもある。
【００３３】
前記情報処理部８は、前記操作表示部８０に操作メニューなどを表示させる。さらに、前記情報処理部８は、前記操作表示部８０の操作を通じて入力される入力情報および各種センサーの検出結果に基づいて各種の情報処理を行う。さらに、前記情報処理部８は、前記情報処理の結果に応じて周辺装置およびモーターなどの電気機器を制御する。例えば、図３が示すように、前記情報処理部８は、ＭＰＵ（Micro Processor Unit）８１、第１記憶部８２、第２記憶部８３、信号インターフェイス８４および通信部８５などを備えている。
【００３４】
前記ＭＰＵ８１は、各種の演算およびデータ処理を実行するプロセッサーである。前記第１記憶部８２および第２記憶部８３は、前記ＭＰＵ８１が参照する各種情報を記憶する不揮発性の記憶部である。また、前記第１記憶部８２および前記第２記憶部８３は、前記ＭＰＵ８１による各種情報の読み書きが可能な記憶部でもある。
【００３５】
前記第１記憶部８２は、主として前記ＭＰＵ８１に各種の処理を実行させるためのプログラムＰｒ１〜Ｐｒ１５およびそれらのプログラムを実行する前記ＭＰＵ８１が参照する情報Ｄ１〜Ｄ３などを記憶する。
【００３６】
前記第２記憶部８３は、主として前記ストレージサーバー７各々へアップロードされるデータファイルまたは前記ストレージサーバー７からダウンロードされたデータファイルを記憶する。
【００３７】
前記情報処理部８は、前記ＭＰＵ８１が前記第１記憶部８２に予め記憶された各種のプログラムＰｒ１〜Ｐｒ１５を実行することにより前記画像処理装置１０を統括的に制御する。前記情報処理部８は、前記ＭＰＵ８１に後述する各工程を実行させるための前記プログラムＰｒ１〜Ｐｒ１５を一時記憶するＲＡＭなどの不図示の不揮発性記憶部も備える。
【００３８】
前記信号インターフェイス８４は、前記ＭＰＵ８１とセンサーおよび制御対象機器との間の信号の受け渡しを中継するインターフェイス回路である。前記ＭＰＵ８１は、前記信号インターフェイス８４を介して各種のセンサーの検出信号を入力する。さらに、前記ＭＰＵ８１は、前記信号インターフェイス８４を介して前記操作表示部８０との間で信号の受け渡しを行う。
【００３９】
前記通信部８５は、前記ＭＰＵ８１がＬＡＮおよびインターネットなどの前記ネットワーク７０を通じて前記ストレージサーバー７およびその他の装置との間でデータの送信および受信を行う際の通信を制御するインターフェイスである。前記ＭＰＵ８１は、前記通信部８５を通じて他の装置との間でデータの受け渡しを行う。
【００４０】
ところで、前記画像処理装置１０（情報処理装置）が、それ自体の使用を可能にするための認証処理（端末認証処理）を実行する機能を有する場合がある。例えば、画像形成装置または画像読取装置などである前記画像処理装置１０が、画像処理を可能にするための前記認証処理を実行する機能を有する場合がある。
【００４１】
前記画像処理装置１０などの情報処理装置において、その情報処理装置の前記認証処理用の情報と前記ストレージサーバー７の前記サーバー認証処理用の情報とを個別に入力する作業は繁雑である。また、前記情報処理装置において、複数の前記ストレージサーバー７との間でデータファイルのアップロードまたはダウンロードを実行したいというニーズがある。この場合、前記情報処理装置と複数の前記ストレージサーバー７各々とについて個別に前記認証処理用の情報を入力する作業はさらに繁雑である。
【００４２】
前記画像処理装置１０またはそれと同様の機能を有する情報処理装置が採用されれば、前記ストレージサービスを通じてデータファイルのアップロードまたはダウンロードを含む処理を実行する場合に認証処理用の情報の入力作業を簡易化できる。
【００４３】
［ユーザー認証に関する情報］
次に、図２６〜２８を参照しつつ、前記第１記憶部８２が記憶するユーザー認証に関する情報について説明する。前記第１記憶部８２は、端末アカウント情報Ｄ１、サーバーマスター情報Ｄ２およびサーバーアカウント情報Ｄ３を記憶する。例えば、前記端末アカウント情報Ｄ１、前記サーバーマスター情報Ｄ２および前記サーバーアカウント情報Ｄ３の各々は、関連情報ごとに１つのレコードを構成するデータベースである。
【００４４】
図２６は、前記端末アカウント情報Ｄ１のデータ構成の一例である。前記端末アカウント情報Ｄ１は、前記画像処理装置１０のユーザーごとに固有の端末認証情報Ｄ１１とそれに対応づけられた登録サーバー情報Ｄ１２とを含む。例えば、前記端末認証情報Ｄ１１は、端末ユーザーＩＤ（Ｄ１１０）と端末パスワードＤ１１１とを含む。
【００４５】
前記端末認証情報Ｄ１１は、例えば後述する前記端末アカウント登録処理によって前記第１記憶部８２に記録される。
【００４６】
前記登録サーバー情報Ｄ１２は、後述する前記サービス追加・削除処理によって前記端末アカウント情報Ｄ１に追加または削除される情報である。前記登録サーバー情報Ｄ１２は、１つ以上の前記ストレージサーバー７の識別情報を含み、前記端末認証情報Ｄ１１に対応づけられている。本実施形態における前記ストレージサーバー７の識別情報は、前記ストレージサーバー７各々に対応するサーバー番号Ｄ２０である。
【００４７】
前記サーバーマスター情報Ｄ２は、前記ストレージサーバー７各々の識別情報の一例である前記サーバー番号Ｄ２０とこれに対応する宛先情報Ｄ２１とを含む。前記宛先情報Ｄ２１は前記ネットワーク７０上での通信の宛先を表す情報である。図２７が示す例では、前記サーバーマスター情報Ｄ２は、前記サーバー番号Ｄ２０と、これに対応づけられた前記ネットワーク７０上の前記宛先情報Ｄ２１およびその他のストレージサービス関連情報Ｄ２２とを含む。例えば、前記ストレージサービス関連情報Ｄ２２は、前記ストレージサービスの名称または前記ストレージサービスを表すマーク（アイコン画像）の情報などを含む。
【００４８】
前記サーバーマスター情報Ｄ２は、前記画像処理装置１０がアクセス可能な全ての前記ストレージサーバー７各々の前記サーバー番号Ｄ２０およびこれに対応する前記宛先情報Ｄ２１を含む。前記サーバーマスター情報Ｄ２は、前記第１記憶部８２に予め記憶された情報である。
【００４９】
また、前記第１記憶部８２は、サーバーアカウント情報Ｄ３も記憶する。このサーバーアカウント情報Ｄ３は、後述する前記サービス追加・削除処理によって前記第２記憶部８３に記録される情報である。
【００５０】
前記サーバーアカウント情報Ｄ３は、前記端末ユーザーＩＤ（Ｄ１１０）と、これに対応づけられた前記サーバー番号Ｄ２０およびサーバー認証情報Ｄ３１とを含む。前記サーバーアカウント情報Ｄ３は、ユーザーごとの前記端末認証情報Ｄ１１と前記サーバー認証情報Ｄ３１とを対応づける情報である。
【００５１】
前記サーバー認証情報Ｄ３１は、前記ストレージサーバー７各々が認証処理を実行する際に必要な情報である。前記画像処理装置１０などの前記情報処理装置は、前記ストレージサーバー７に認証処理を要求し、その認証処理が成功した場合にのみ前記ストレージサービスの提供を受けることができる。
【００５２】
前記端末アカウント情報Ｄ１および前記サーバーアカウント情報Ｄ３において、前記端末認証情報Ｄ１１と前記サーバー認証情報Ｄ３１とが、前記端末ユーザーＩＤ（Ｄ１１０）をキーとして対応づけられている。さらに、前記端末アカウント情報Ｄ１および前記サーバーマスター情報Ｄ２において、前記端末認証情報Ｄ１１と前記宛先情報Ｄ２１とが、前記サーバー番号Ｄ２０をキーとして対応づけられている。
【００５３】
即ち、前記第１記憶部８２は、前記端末認証情報Ｄ１１と１つまたは複数の前記サーバー認証情報Ｄ３１および１つまたは複数の前記宛先情報Ｄ２１とを対応づけて記憶可能な対応認証情報記憶部の一例である。
【００５４】
なお、前記宛先情報Ｄ２１は、前記ストレージサーバー７の前記ネットワーク７０上の宛先の情報である。また、前記サーバー認証情報Ｄ３１は、予め前記ストレージサーバー７の記憶部に記憶された認証情報（第１認証情報）に相当する。また、前記端末認証情報Ｄ１１は、前記画像処理装置１０側の認証情報（第２認証情報）である。
【００５５】
従って、前記情報処理部８は、前記端末ユーザーＩＤ（Ｄ１１０）を検索キーとして前記端末アカウント情報Ｄ１を検索することにより、１つの前記端末認証情報Ｄ１１とこれに対応する１つ以上の前記サーバー番号Ｄ２０を特定することができる。さらに、前記情報処理部８は、前記端末ユーザーＩＤ（Ｄ１１０）に対応する前記サーバー番号Ｄ２０を検索キーとして前記サーバーマスター情報Ｄ２を検索することにより、前記端末ユーザーＩＤ（Ｄ１１０）に対応する１つ以上の前記宛先情報Ｄ２１を特定することができる。
【００５６】
［前記画像処理装置１０によるストレージサービス利用方法］
続いて、図４〜２８を参照しつつ、前記画像処理装置１０の前記情報処理部８が前記ストレージサービスを利用しつつ画像処理を実行する方法の一例について説明する。以下の説明において、Ｓ１，Ｓ２，・・・は、処理手順の識別符号を表す。なお、以下に示される前記情報処理部８の処理は、前記ＭＰＵ８１が前記第１記憶部８２に記憶されたコンピュータープログラムを実行することによって実現される。
【００５７】
前記情報処理部８は、前記ストレージサービスを利用しつつ画像処理を実行するために、ストレージサービス利用準備処理、端末アカウント登録処理、端末ログイン処理、ジョブ選択・実行処理、データファイルのプリント処理、スキャン画像ファイルの保存処理およびサービス追加・削除処理などを実行する。
【００５８】
[前記ストレージサービス利用準備処理]
図４は、前記ストレージサービス利用準備処理の手順の一例を示すフローチャートである。前記情報処理部８は、前記操作表示部８０に対して予め定められた開始操作が行われたことを検知したときに前記ストレージサービス利用準備処理を実行する。
【００５９】
＜工程Ｓ１＞
前記ストレージサービス利用準備処理において、まず、前記情報処理部８は、図１１に示されるようなログイン画面を前記操作表示部８０に出力する。図１１が示す前記ログイン画面は、前記端末アカウント登録処理を開始するための操作を受け付ける第１受付画面と、前記端末ログイン処理を開始するための操作を受け付ける第２受付画面とを兼ねる。
【００６０】
例えば、前記ログイン画面は、情報入力枠ｇ１１と登録操作アイコンｇ１２とログイン操作アイコンｇ１３とログアウト操作アイコンｇ０１とを含む。前記情報入力枠ｇ１１は、前記操作表示部８０に対する操作を通じて情報を入力するユーザーインターフェイスである。
【００６１】
＜工程Ｓ２，Ｓ３＞
さらに、前記情報処理部８は、前記情報入力枠ｇ１１を通じて、前記操作表示部８０に対する操作に従って情報を入力する（Ｓ２）。その際、前記情報処理部８は、前記登録操作アイコンｇ１２、前記ログイン操作アイコンｇ１３および前記ログアウト操作アイコンｇ１４のいずれかが操作されたか否かを監視し（Ｓ３）、いずれかのアイコンが操作されるまで工程Ｓ２の情報入力処理を継続する。
【００６２】
前記情報処理部８が工程Ｓ２で入力する情報は、前記画像処理装置１０におけるユーザーの認証用の情報である。この入力情報は、例えば、ユーザーＩＤとパスワードとを含む。以下、前記画像処理装置１０におけるユーザー認証用の入力情報のことを端末認証用入力情報と称する。前記端末認証用入力情報は第２認証用入力情報の一例である。
【００６３】
前記登録操作アイコンｇ１２または前記ログイン操作アイコンｇ１３が操作されると、前記情報処理部８は、前記情報入力枠ｇ１１を通じた情報入力が確定したと判定する。さらに、前記情報処理部８は、前記情報入力枠ｇ１１を通じて入力された情報を用いる次の処理を実行する。
【００６４】
なお、工程Ｓ１〜Ｓ３は、前記ＭＰＵ８１が端末認証用情報入力プログラムＰｒ１を実行することによって実現される。前記端末認証用情報入力プログラムＰｒ１を実行する前記ＭＰＵ８１が第２認証用情報入力部の一例である。また、工程Ｓ１〜Ｓ３が、第２認証用情報入力工程の一例である。
【００６５】
＜工程Ｓ４，Ｓ５＞
前記情報処理部８は、前記登録操作アイコンｇ１２が操作されたことを検知すると、前記端末アカウント登録処理を実行する（Ｓ４）。また、前記情報処理部８は、前記ログイン操作アイコンｇ１３が操作されたことを検知すると、前記端末ログイン処理を実行する（Ｓ５）。前記端末アカウント登録処理および前記端末ログイン処理の詳細については後述する。
【００６６】
また、前記情報処理部８は、前記ログアウト操作アイコンｇ０１が操作されたことを検知すると、前記ストレージサービスの利用に関する処理を終了させる。
【００６７】
＜工程Ｓ６＞
また、前記端末アカウント登録処理または前記端末ログイン処理が終了すると、前記情報処理部８は、前記ジョブ選択・実行処理を実行する（Ｓ６）。後述するように、選択対象のジョブは、プリントジョブ、スキャンジョブおよびサーバーアカウント登録ジョブである。前記ジョブ選択・実行処理において、選択されたジョブが実行される。前記ジョブ選択・実行処理の詳細については後述する。
【００６８】
そして、前記情報処理部８は、前記ログアウト操作アイコンｇ０１を含む画面を前記操作表示部８０に随時出力し、前記ログアウト操作アイコンｇ０１が操作されたことを検知するまで、工程Ｓ６の処理を繰り返す。
【００６９】
［前記端末アカウント登録処理］
次に、図５を参照しつつ、前記端末アカウント登録処理について説明する。図５は、前記端末アカウント登録処理の手順の一例を示すフローチャートである。
【００７０】
＜工程Ｓ１１＞
前記端末アカウント登録処理において、まず、前記情報処理部８は、図１２に示されるような端末アカウント登録画面を前記操作表示部８０に出力する。図１２が示す前記端末アカウント登録画面は、第１情報入力枠ｇ２１と、第２情報入力枠ｇ２２と、登録操作アイコンｇ２３と中止操作アイコンｇ２４とを含む。前記第１情報入力枠ｇ２１および前記第２情報入力枠ｇ２２は、前記操作表示部８０に対する操作により入力される情報が表示される部分である。また、図１２が示す前記端末アカウント登録画面は、前記ログアウト操作アイコンｇ０１も含む。
【００７１】
＜工程Ｓ１２，Ｓ１３＞
さらに、前記情報処理部８は、前記第１情報入力枠ｇ２１および前記第２情報入力枠ｇ２２を通じて、前記操作表示部８０に対する操作に従って情報を入力する（Ｓ１２）。その際、前記情報処理部８は、前記登録操作アイコンｇ２３および前記中止操作アイコンｇ２４のいずれかが操作されたか否かを監視し（Ｓ１３）、いずれかのアイコンが操作されるまで工程Ｓ１２の情報入力処理を継続する。
【００７２】
前記情報処理部８が前記第１情報入力枠ｇ２１を通じて入力する情報は、前記端末認証用入力情報であり、例えば、ユーザーＩＤとパスワードとを含む。前記第１情報入力枠ｇ２１を通じて入力される情報の初期値は、前記ログイン画面の前記情報入力枠ｇ１１を通じて入力した前記端末認証用入力情報である。
【００７３】
また、前記情報処理部８が前記第２情報入力枠ｇ２２を通じて入力する情報は、前記画像処理装置１０のユーザーに関する他の情報である。以下の説明において、前記情報処理部８が前記第１情報入力枠ｇ２１および前記第２情報入力枠ｇ２２を通じて入力する情報のことを端末アカウント登録用入力情報と称する。前記端末アカウント登録用入力情報は前記端末認証用入力情報を含む。
【００７４】
なお、前記情報処理部８は、前記ログアウト操作アイコンｇ０１が操作されたことを検知した場合には、前記ストレージサービスの利用に関する処理を終了させる。その終了処理についての記載は、図５〜１０において省略されている。
【００７５】
＜工程Ｓ１４＞
前記情報処理部８は、前記登録操作アイコンｇ２３が操作されたことを検知すると、工程Ｓ２で入力した前記端末アカウント登録用入力情報が、予め定められた許容条件を満足しているか否かをチェックする。例えば、前記許容条件は、前記端末アカウント登録用入力情報における前記端末認証用入力情報が、前記第１記憶部８２に既に記憶されている端末認証情報と重複していないという条件を含む。また、前記許容条件が、前記端末アカウント登録用入力情報を構成する文字および記号の種類および数などが予め定められた範囲内に収まっているという条件を含むことも考えられる。
【００７６】
工程Ｓ１１〜Ｓ１４は、前記ＭＰＵ８１が記録情報設定プログラムＰｒ２を実行することによって実現される。前記記録情報設定プログラムＰｒ２を実行する前記ＭＰＵ８１は、前記端末認証処理が成功した場合に前記操作表示部８０（操作部）を通じて情報を入力することにより前記サーバー認証情報Ｄ３１および前記宛先情報Ｄ２１を設定する記録情報設定部の一例である。
【００７７】
＜工程Ｓ１５＞
前記端末アカウント登録用入力情報が前記許容条件を満たしている場合、前記情報処理部８は、前記端末アカウント登録用入力情報を前記端末アカウント情報Ｄ１の一部として前記第１記憶部８２に記録する（図２６参照）。これにより、前記端末アカウント登録処理が終了する。
【００７８】
より具体的には、前記第１情報入力枠ｇ２１を通じて入力された前記端末認証用入力情報が、前記端末アカウント情報Ｄ１の前記端末認証情報Ｄ１１として前記第２記憶部８３に記録される。例えば、前記端末認証情報Ｄ１１は、端末ユーザーＩＤ（Ｄ１１０）と端末パスワードＤ１１１とを含む。
【００７９】
＜工程Ｓ１６＞
一方、前記端末アカウント登録用入力情報が前記許容条件を満たしていない場合、前記情報処理部８は、前記操作表示部８０にエラーメッセージを出力する。その後、前記情報処理部８は、再び前述した工程Ｓ１１からの処理を実行する。
【００８０】
なお、工程Ｓ１１〜Ｓ１６は、前記ＭＰＵ８１が端末アカウント登録プログラムＰｒ３を実行することによって実現される。
【００８１】
［前記端末ログイン処理］
次に、前記端末ログイン処理について説明する。図６は、前記端末ログイン処理の手順の一例を示すフローチャートである。図１３が示すように、前記情報処理部８は、前記ログイン画面の前記情報入力枠ｇ１１を通じて前記端末認証用入力情報を入力した後に、前記ログイン操作アイコンｇ１３が操作されたことを検知したときに、前記端末ログイン処理を実行する。
【００８２】
＜工程Ｓ２１＞
前記端末ログイン処理において、まず、前記情報処理部８は、端末認証処理を実行する。前記端末認証処理は、前記第１記憶部８２（対応認証情報記憶部）の情報を参照することにより、前記端末認証用入力情報と前記第１記憶部８２における前記端末アカウント情報Ｄ１の前記端末認証情報Ｄ１１とを照合して認証成否を判定する処理（第２認証処理）である。前述したように、前記第１記憶部８２は、前記端末認証情報Ｄ１１と複数の前記サーバー認証情報Ｄ３１および複数の前記宛先情報Ｄ２１とを対応づけて記憶可能である。
【００８３】
以下の説明において、この工程Ｓ２１の前記端末認証処理が成功したときの前記照合に用いられた前記端末認証情報Ｄ１１、即ち、成功した前記端末認証処理で用いられた前記端末認証情報Ｄ１１のことをログイン端末認証情報と称する。
【００８４】
なお、工程Ｓ２１は、前記ＭＰＵ８１が端末認証プログラムＰｒ４を実行することによって実現される。前記端末認証プログラムＰｒ４を実行する前記ＭＰＵ８１が第２認証処理部の一例である。また、工程Ｓ２１が第２認証処理工程の一例である。
【００８５】
＜工程Ｓ２２＞
前記端末認証処理が成功した場合、前記情報処理部８は、前記ログイン端末認証情報に対応する前記登録サーバー情報Ｄ１２に前記サーバー番号Ｄ２０が存在するか否かを判定する。この判定処理は、前記端末ユーザーＩＤ（Ｄ１１０）をキーとして前記端末アカウント情報Ｄ１を検索する処理である。
【００８６】
前記ログイン端末認証情報に対応する前記サーバー番号Ｄ２０が存在しない場合、前記情報処理部８は当該端末ログイン処理を終了させる。
【００８７】
＜工程Ｓ２３＞
前記ログイン端末認証情報に対応する前記サーバー番号Ｄ２０が存在する場合、前記情報処理部８は、そのサーバー番号Ｄ２０に対応する前記ストレージサーバー７に対して前記サーバー認証処理を要求する。
【００８８】
より具体的には、前記情報処理部８は、まず、前記サーバーマスター情報Ｄ２を参照することにより、前記ログイン端末認証情報に対応する前記サーバー番号Ｄ２０に対応する前記宛先情報Ｄ２１を特定する。さらに、前記情報処理部８は、前記サーバーアカウント情報Ｄ３を参照することにより、前記ログイン端末認証情報に対応する前記サーバー認証情報Ｄ３１を特定する。
【００８９】
さらに、前記情報処理部８は、特定した前記サーバー認証情報Ｄ３１と特定した前記宛先情報Ｄ２１の宛先へ送信することにより、前記ストレージサーバー７に前記サーバー認証処理を要求する。さらに、前記情報処理部８は、前記ストレージサーバー７から前記サーバー認証処理の結果を受信する。
【００９０】
また、前記端末アカウント情報Ｄ１において、前記ログイン端末認証情報が複数の前記サーバー番号Ｄ２０に対応づけられている場合がある。この場合、工程Ｓ２３において、前記情報処理部８は、それら複数の前記サーバー番号Ｄ２０に対応する複数の前記宛先情報Ｄ２１各々の宛先に対して前記サーバー認証処理を要求する。
【００９１】
工程Ｓ２２，Ｓ２３は、前記ＭＰＵ８１がサーバー認証要求プログラムＰｒ５を実行することによって実現される。前記サーバー認証要求プログラムＰｒ５を実行する前記ＭＰＵ８１が、前記端末認証処理が成功した場合に前記ストレージサーバー７に前記サーバー認証処理（第１認証処理）を要求する第１認証要求部の一例である。また、工程Ｓ２２，Ｓ２３が、第１認証要求工程の一例である。
【００９２】
＜工程Ｓ２４＞
前記サーバー認証処理が成功した場合、前記情報処理部８は、成功した前記サーバー認証処理の要求先の前記ストレージサーバー７にアップロード済みのデータファイルの情報を送信することを要求し、その情報を取得する。前記情報処理部８は、取得した情報を記憶する。以下、この工程Ｓ２４で得られる情報のことをアップロード済みデータファイル情報と称する。前記情報処理部８は、工程Ｓ２４の後に当該ログイン処理を終了させる。
【００９３】
また、前記ログイン端末認証情報が複数の前記サーバー番号Ｄ２０に対応づけられている場合、工程Ｓ２４の処理はそれら複数の前記サーバー番号Ｄ２０に対応する複数の前記宛先情報Ｄ２１各々の宛先について実行される。
【００９４】
なお、工程Ｓ２４は、前記ＭＰＵ８１がアップロード済みデータファイル情報取得プログラムＰｒ６を実行することによって実現される。前記アップロード済みデータファイル情報取得プログラムＰｒ６を実行する前記ＭＰＵ８１が、前記アップロード済みデータファイル情報取得部の一例である。また、工程Ｓ２４が、アップロード済みデータファイル情報取得工程の一例である。
【００９５】
＜工程Ｓ２５＞
一方、工程Ｓ２１において前記端末認証処理が失敗した場合、前記情報処理部８は、前記操作表示部８０にエラーメッセージを出力する。その後、前記情報処理部８は、処理を前述した工程Ｓ１へ移行させる。
【００９６】
＜工程Ｓ２６＞
また、工程Ｓ２３において前記サーバー認証処理が失敗した場合、前記情報処理部８は、前記操作表示部８０にエラーメッセージを出力する。前記情報処理部８は、工程Ｓ２６の後に当該ログイン処理を終了させる。
【００９７】
なお、工程Ｓ２１，Ｓ２３は、前記情報処理部８が前記端末アカウント情報Ｄ１、前記サーバーマスター情報Ｄ２および前記サーバーアカウント情報Ｄ３を記憶する前記第１記憶部８２（対応認証情報記憶部）の情報を参照する記憶部参照工程の一例である。
【００９８】
［前記ジョブ選択・実行処理］
次に、図７を参照しつつ前記ジョブ選択・実行処理について説明する。図７は、前記ジョブ選択・実行処理の手順の一例を示すフローチャートである。
【００９９】
＜工程Ｓ３１＞
前記ジョブ選択・実行処理において、まず、前記情報処理部８は、図１４に示されるようなジョブ選択画面を前記操作表示部８０に出力する。図１４が示す前記ジョブ選択画面は、プリント操作アイコンｇ３１とスキャン操作アイコンｇ３２とサービス追加・削除操作アイコンｇ３３とを含む。
【０１００】
＜工程Ｓ３２＞
さらに、前記情報処理部８は、前記ジョブ選択画面における前記プリント操作アイコンｇ３１、前記スキャン操作アイコンｇ３２および前記サービス追加・削除操作アイコンｇ３３のいずれかが操作されたか否かを監視する（Ｓ３２）。
【０１０１】
＜工程Ｓ３３〜Ｓ３５＞
前記情報処理部８は、前記プリント操作アイコンｇ３１が操作されたことを検知すると、データファイルのプリント処理を実行する（Ｓ３３）。また、前記情報処理部８は、前記スキャン操作アイコンｇ３２が操作されたことを検知すると、スキャン画像ファイルの保存処理を実行する（Ｓ３４）。また、前記情報処理部８は、前記サービス追加・削除操作アイコンｇ３３が操作されたことを検知すると、サービス追加・削除処理を実行する（Ｓ３５）。
【０１０２】
前記データファイルのプリント処理（Ｓ３３）、前記スキャン画像ファイルの保存処理（Ｓ３４）および前記サービス追加・削除処理（Ｓ３５）の詳細については後述する。
【０１０３】
前記情報処理部８は、工程Ｓ３３、工程Ｓ３４または工程Ｓ３５の後、前記ジョブ選択・実行処理を終了させる。
【０１０４】
［前記データファイルのプリント処理］
次に、図８を参照しつつ、前記データファイルのプリント処理について説明する。図８は、前記データファイルのプリント処理の手順の一例を示すフローチャートである。
【０１０５】
＜工程Ｓ４１＞
前記データファイルのプリント処理において、まず、前記情報処理部８は、工程Ｓ２４で得た前記アップロード済みデータファイル情報Ｄ４を表示するデータファイル選択画面を前記操作表示部８０に出力する。図１５は、前記データファイル選択画面の一例である。図１５が示す前記データファイル選択画面は、前記アップロード済みデータファイル情報Ｄ４に加えてサービス選択操作アイコンｇ４１、プレビュー操作アイコンｇ４２およびプリント操作アイコンｇ４３を含む。
【０１０６】
前記サービス選択操作アイコンｇ４１は、前記ログイン端末認証情報が複数の前記サーバー番号Ｄ２０に対応づけられている場合に有効となる。前記サービス選択操作アイコンｇ４１は、前記端末アカウント情報Ｄ１において前記端末認証情報Ｄ１１に対応づけられている前記ストレージサーバー７ごとに設けられる。
【０１０７】
前記サービス選択操作アイコンｇ４１が操作されると、そのサービス選択操作アイコンｇ４１に対応する前記ストレージサーバー７についての前記アップロード済みデータファイル情報Ｄ４が前記操作表示部８０に表示される。図１５において、前記アップロード済みデータファイル情報Ｄ４は、前記ストレージサーバー７に既にアップロードされているデータファイルの名称のリストである。
【０１０８】
また、前記データファイル選択画面は、前記アップロード済みデータファイル情報Ｄ４における各データファイルの情報に対応するチェックボックスｇ４４を含む。前記チェックボックスｇ４４が操作されると、前記情報処理部８は、操作された前記チェックボックスｇ４４に対応するデータファイルを選択する。
【０１０９】
＜工程Ｓ４２，Ｓ４３＞
さらに、前記情報処理部８は、前記サービス選択操作アイコンｇ４１および前記チェックボックスｇ４４に対する操作を検知することによりダウンロード対象のデータファイルを選択する（Ｓ４２）。その際、前記情報処理部８は、前記プレビュー操作アイコンｇ４２および前記プリント操作アイコンｇ４３のいずれかが操作されたか否かを監視し（Ｓ４３）、いずれかのアイコンが操作されるまで工程Ｓ４２のデータファイル選択処理を継続する。前記情報処理部８は、前記サービス選択操作アイコンｇ４１および前記チェックボックスｇ４４に対する操作に従って複数のデータファイルを選択することもできる。
【０１１０】
図１６は、前記チェックボックスｇ４４への操作によってデータファイルが選択されたときの前記データファイル選択画面の一例を示す。また、図１７は、データファイルが選択された後に前記プレビュー操作アイコンｇ４２が操作されるときの前記データファイル選択画面の一例を示す。
【０１１１】
なお、工程Ｓ４１〜Ｓ４３は、前記ＭＰＵ８１がストレージサービスアクセス先選択プログラムＰｒ７を実行することによって実現される。前記ストレージサービスアクセス先選択プログラムＰｒ７を実行する前記ＭＰＵ８１が、複数の前記宛先情報Ｄ２１に対応する複数の前記ストレージサーバー７の中から後述するストレージサービスアクセス処理（Ｓ４４）の１つ以上のアクセス先を選択するストレージサービスアクセス先選択部の一例である。
【０１１２】
また、工程Ｓ４１〜Ｓ４３において前記ストレージサービスアクセス先選択プログラムＰｒ７を実行する前記ＭＰＵ８１は、データファイル選択部の一例でもある。即ち、前記データフィル選択部として機能する前記ＭＰＵ８１は、アップロード済みデータファイルの情報を前記操作表示部８０（表示部）に出力し（Ｓ４１）、さらに、前記操作表示部８０（操作部）に対する操作に従って前記ストレージサービスアクセス処理においてダウンロードするデータファイルを選択する（Ｓ４２）。
【０１１３】
＜工程Ｓ４４＞
前記情報処理部８は、前記プリント操作アイコンｇ４３が操作されたことを検知すると、工程Ｓ４２で選択されたデータファイルを前記ストレージサーバー７からダウンロードすることによって取得する。同様に、前記情報処理部８は、前記プレビュー操作アイコンｇ４２が操作されたことを検知した場合も、工程Ｓ４２で選択されたデータファイルを前記ストレージサーバー７からダウンロードすることによって取得する。
【０１１４】
工程Ｓ４２において複数の前記データファイルが選択された場合、前記情報処理部８は、選択された複数の前記データファイルを前記ストレージサーバー７からダウンロードする。ダウンロードされた前記データファイルは前記第２記憶部８３に一時的に格納される。
【０１１５】
なお、工程Ｓ４４は、前記ＭＰＵ８１がストレージサービスアクセスプログラムＰｒ８を実行することによって実現される。前記ストレージサービスアクセスプログラムＰｒ８を実行する前記ＭＰＵ８１が、ストレージサービスアクセス処理を実行するストレージサービスアクセス部の一例である。前記ストレージサービスアクセス処理は、前記ストレージサーバー７の前記ストレージサービスを通じてデータファイルをダウンロードまたはアップロードする処理である。また、工程Ｓ４４は、ストレージサービスアクセス工程の一例である。
【０１１６】
＜工程Ｓ４５＞
前記プリント操作アイコンｇ４３が操作され、さらに前記データファイルのダウンロードが終了すると、前記情報処理部８は、前記画像形成部４に対してプリント処理（画像形成処理）を実行させる。このプリント処理において、前記画像形成部４は、前記ストレージサービスを通じてダウンロードされた前記データファイルに基づく画像を前記記録シート９に形成する。
【０１１７】
例えば、前記情報処理部８は、ダウンロードした前記データファイルに対し、そのデータファイルの拡張子に応じたデータ変換処理を施すことによって画像データを生成し、その画像データを前記画像形成部４に出力する。前記画像形成部４は、前記情報処理部８から得た前記画像データに相当する画像を形成する。工程Ｓ４５の後、前記情報処理部８は前記データファイルのプリント処理を終了させる。
【０１１８】
＜工程Ｓ４６＞
前記プレビュー操作アイコンｇ４２が操作され、さらに前記データファイルのダウンロードが終了すると、前記情報処理部８は、前記操作表示部８０を通じて画像のプレビュー処理を実行する。このプレビュー処理において、前記情報処理部８は、ダウンロードした前記データファイルに対し、そのデータファイルの拡張子に応じたデータ変換処理を施すことによって画像データを生成する。さらに、前記情報処理部８は、その画像データに基づく前記プリント処理が行われたときの前記記録シート９上の画像に相当するプレビュー画像を含むプレビュー画面を前記操作表示部８０に出力する。
【０１１９】
図１８は、前記プレビュー画像ｇ４５を含む前記プレビュー画面の一例である。図１８の例では、前記プレビュー画面は、前記プレビュー画像ｇ４５と前記プリント操作アイコンｇ４３と編集操作アイコンｇ４６とを含む。
【０１２０】
＜工程Ｓ４７＞
前記プレビュー画面が出力された状態で、前記情報処理部８は、前記プリント操作アイコンｇ４３および前記編集操作アイコンｇ４６のいずれかが操作されたか否かを監視する。いずれかのアイコンが操作されるまで工程Ｓ４７の処理を継続する。
【０１２１】
前記情報処理部８は、前記プリント操作アイコンｇ４３が操作されたことを検知すると、処理を前述の工程Ｓ４５へ移行させる。これにより、前記情報処理部８は、前記画像形成部４に対してプリント処理（画像形成処理）を実行させる。このプリント処理において、前記画像形成部４は、前記ストレージサービスを通じてダウンロードされた前記データファイルに基づく画像を前記記録シート９に形成する。
【０１２２】
＜工程Ｓ４８＞
前記情報処理部８は、前記編集操作アイコンｇ４６が操作されたことを検知すると、ダウンロードされた前記データファイルに基づく画像を前記操作表示部８０への操作に従って編集する画像編集処理を実行する。
【０１２３】
前記画像編集処理は、例えば、画像濃度を変更する処理、画像を拡大もしくは縮小する処理、または画像の向きを変更する処理などを含む。前記情報処理部８は、前記画像編集処理が終了すると、処理を前述の工程Ｓ４６へ移行させる。これにより、編集後の画像に基づく前記プレビュー画像ｇ４５を含む前記プレビュー画面が、前記操作表示部８０に出力される。
【０１２４】
［前記スキャン画像ファイルの保存処理］
次に、図９を参照しつつ前記スキャン画像ファイルの保存処理について説明する。図９は前記スキャン画像ファイルの保存処理の手順の一例を示すフローチャートである。
【０１２５】
＜工程Ｓ５１＞
前記スキャン画像ファイルの保存処理において、まず、前記情報処理部８は、保存先選択画面を前記操作表示部８０に出力する。図１９は、前記保存先選択画面の一例である。図１９が示す前記保存先選択画面は、前記アップロード済みデータファイル情報Ｄ４、前記サービス選択操作アイコンｇ４１および前記ストレージサービス各々に対応するチェックボックスｇ４７を含む。前記チェックボックスｇ４７が操作されると、前記情報処理部８は、操作された前記チェックボックスｇ４７に対応する前記ストレージサービスを選択する。
【０１２６】
なお、前記保存先選択画面に前記アップロード済みデータファイル情報Ｄ４が含まれないことも考えられる。
【０１２７】
＜工程Ｓ５２，Ｓ５３＞
さらに、前記情報処理部８は、前記チェックボックスｇ４７に対する操作を検知することにより画像データファイルの保存先を選択する（Ｓ５２）。前記保存先の候補は、工程Ｓ２３において前記サーバー認証処理が成功した全ての前記ストレージサーバー７の記憶部である。前記情報処理部８は、前記サービス選択操作アイコンｇ４１および前記チェックボックスｇ４７に対する操作に従って複数の保存先を選択することもできる。
【０１２８】
さらに、前記保存先の選択が行われる際、前記情報処理部８は、前記操作表示部８０に対してスキャン操作が行われたか否か監視する（Ｓ５３）。前記スキャン操作は、前記画像読取部１１によって前記原稿９０の画像を読み取る処理（スキャン処理）を開始する操作である。
【０１２９】
なお、工程Ｓ５１〜Ｓ５３は、前記ＭＰＵ８１が前記ストレージサービスアクセス先選択プログラムＰｒ９を実行することによって実現される。前記ストレージサービスアクセス先選択プログラムＰｒ９を実行する前記ＭＰＵ８１が、複数の前記宛先情報Ｄ２１に対応する複数の前記ストレージサーバー７の中から後述するストレージサービスアクセス処理（Ｓ５５）の１つ以上のアクセス先を選択するストレージサービスアクセス先選択部の一例である。
【０１３０】
＜工程Ｓ５４＞
前記情報処理部８は、前記操作表示部８０に対して前記スキャン操作が行われたことを検知すると、前記画像読取部１１に対して原稿スキャン処理（画像読取処理）を実行させる。この原稿スキャン処理において、前記画像読取部１１は、前記原稿９０の画像を読み取ることにより前記ストレージサービスを通じてアップロードされる画像データファイルの元になる画像データを生成する。
【０１３１】
さらに、工程Ｓ５４において、前記情報処理部８は、前記画像読取部１１が生成した前記画像データから予め定められた形式の画像データファイルを生成する。生成された前記画像データファイルは前記第２記憶部８３に一時的に格納される。
【０１３２】
＜工程Ｓ５５＞
さらに、前記情報処理部８は、前記原稿スキャン処理を通じて生成された前記画像データファイルを前記ストレージサーバー７にアップロードすることにより、その画像データファイルを前記ストレージサーバー７の記憶部に保存する。
【０１３３】
工程Ｓ５２において複数の前記保存先が選択された場合、前記情報処理部８は、選択された複数の前記保存先へ前記画像データファイルをアップロードする。
【０１３４】
なお、工程Ｓ５５は、前記ＭＰＵ８１が前記ストレージサービスアクセスプログラムＰｒ８を実行することによって実現される。前記ストレージサービスアクセスプログラムＰｒ８を実行する前記ＭＰＵ８１が、ストレージサービスアクセス処理を実行するストレージサービスアクセス部の一例である。また、工程Ｓ５５は、前記ストレージサービスアクセス工程の一例である。
【０１３５】
＜工程Ｓ５６＞
前記画像データファイルのアップロードが終了すると、前記情報処理部８は、例えば図２０に示されるような確認画面を前記操作表示部８０に出力する。図２０に示される前記確認画面は、前記アップロード済みデータファイル情報Ｄ４、前記サービス選択操作アイコンｇ４１、再スキャン操作アイコンｇ４８および終了操作アイコンｇ４９を含む。
【０１３６】
工程Ｓ５６において、前記情報処理部８は、前記確認画面に含める前記アップロード済みデータファイル情報Ｄ４を得るために、工程Ｓ２４の処理と同様に、アップロード先の前記ストレージサーバー７から前記アップロード済みデータファイル情報Ｄ４を取得する。
【０１３７】
工程Ｓ５６において、前記情報処理部８は、前記サービス選択操作アイコンｇ４１が操作されたことを検知すると、操作された前記サービス選択操作アイコンｇ４１に対応する前記ストレージサーバー７から得た前記アップロード済みデータファイル情報Ｄ４を含む前記確認画面を前記操作表示部８０に出力する。
【０１３８】
＜工程Ｓ５７＞
さらに、前記情報処理部８は、前記確認画面における前記再スキャン操作アイコンｇ４８および前記終了操作アイコンｇ４９のいずれかが操作されたか否かを監視する。そして、前記情報処理部８は、前記再スキャン操作アイコンｇ４８が操作されたことを検知すると、処理を前述の工程Ｓ５１へ移行させる。これにより、前記スキャン画像ファイルの保存処理が再び実行される。
【０１３９】
また、前記情報処理部８は、前記終了操作アイコンｇ４９が操作されたことを検知すると、前記スキャン画像ファイルの保存処理を終了させる。
【０１４０】
［前記サービス追加・削除処理］
次に、図１０を参照しつつ前記サービス追加・削除処理について説明する。図１０は、前記サービス追加・削除処理の手順の一例を示すフローチャートである。
【０１４１】
＜工程Ｓ６１＞
前記サービス追加・削除処理において、まず、前記情報処理部８は、前記操作表示部８０に対する操作に従って、実行する処理とその処理の対象となる前記ストレージサービスとを選択する。選択される処理の候補は、サービス追加処理およびサービス削除処理である。
【０１４２】
前記サービス追加処理は、前記端末アカウント情報Ｄ１の前記登録サーバー情報Ｄ１２に前記サーバー番号Ｄ２０を追加するとともに、前記サーバーアカウント情報Ｄ３に前記サーバー認証情報Ｄ３１を追加する処理である。また、前記サービス削除処理は、前記端末アカウント情報Ｄ１の前記登録サーバー情報Ｄ１２から前記サーバー番号Ｄ２０を削除するとともに、前記サーバーアカウント情報Ｄ３から前記サーバー認証情報Ｄ３１を削除する処理である。
【０１４３】
工程Ｓ６１において、前記サービス追加処理が選択される場合、未登録の前記ストレージサービスが処理対象として選択される。一方、前記サービス削除処理が選択される場合、登録済みの前記ストレージサービスが処理対象として選択される。
【０１４４】
登録済みの前記ストレージサービスは、前記端末アカウント情報Ｄ１によって特定される。より具体的には、登録済みの前記ストレージサービスは、前記ログイン端末認証情報に対応づけられている前記登録サーバー情報Ｄ１２によって特定される。
【０１４５】
例えば、前記情報処理部８は、工程Ｓ６１において図２１に示されるような第１ストレージサービス選択画面を前記操作表示部８０に出力する。前記第１ストレージサービス選択画面は、選択肢となる前記ストレージサービスに対応するチェックボックスｇ５１、第１追加操作アイコンｇ５２、削除操作アイコンｇ５３および終了操作アイコンｇ５４などを含む。前記第１ストレージサービス選択画面において選択肢となる前記ストレージサービスは、前記ログイン端末認証情報に対応づけられている前記登録サーバー情報Ｄ１２によって特定される。
【０１４６】
前記チェックボックスｇ５１は、選択肢となる前記ストレージサービスの前記サーバー番号Ｄ２０に対応づけられている。図２１が示す前記第１ストレージサービス選択画面において、前記チェックボックスｇ５１は、選択肢となる前記ストレージサービスの前記ストレージサービス関連情報Ｄ２２に対応づけられた状態で表示される。
【０１４７】
また、前記第１ストレージサービス選択画面の前記第１追加操作アイコンｇ５２が操作されると、前記情報処理部８は、未登録の前記ストレージサービスの候補の中から前記サーバーアカウント追加処理の対象となる前記ストレージサービスを選択する。
【０１４８】
例えば、前記第１追加操作アイコンｇ５２が操作された場合に、前記情報処理部８は、図２２に示されるような第２ストレージサービス選択画面を前記操作表示部８０に出力する。さらに、前記情報処理部８は、前記第２ストレージサービス選択画面に対する操作に従って前記サーバーアカウント追加処理の対象となる前記ストレージサービスを選択する。
【０１４９】
前記第２ストレージサービス選択画面は、選択肢となる前記ストレージサービスに対応するチェックボックスｇ５１、第２追加操作アイコンｇ５５および前記終了操作アイコンｇ５４などを含む。
【０１５０】
前記第２ストレージサービス選択画面において選択肢となる前記ストレージサービスは、前記サーバーマスター情報Ｄ２によって特定される全ての前記ストレージサービスのうち、前記ログイン端末認証情報に対応づけられたもの以外である。
【０１５１】
前記第２ストレージサービス選択画面の前記第２追加操作アイコンｇ５５が操作された場合、前記情報処理部８は、前記サーバーアカウント情報Ｄ３への前記サーバー認証情報Ｄ３１の追加の対象となる前記ストレージサービスの選択が確定したと判定する。
【０１５２】
また、前記第１ストレージサービス選択画面の前記削除操作アイコンｇ５３が操作された場合、前記情報処理部８は、前記サーバーアカウント情報Ｄ３における前記サーバー認証情報Ｄ３１の削除の対象となる前記ストレージサービスの選択が確定したと判定する。図２４は、前記削除操作アイコンｇ５３が操作されるときの前記第１ストレージサービス選択画面の一例を示す図である。
【０１５３】
なお、前記第１ストレージサービス選択画面の前記終了操作アイコンｇ５４が操作された場合、前記情報処理部８は、処理を工程Ｓ６へ移行させる。これにより、再び前記ジョブ選択・実行処理が実行される。図２５は、前記終了操作アイコンｇ５４が操作されるときの前記第１ストレージサービス選択画面の一例を示す図である。
【０１５４】
さらに、前記情報処理部８は、選択された前記ストレージサービスの前記宛先情報をアカウント登録状況の確認先として設定する。その際、前記情報処理部８は、選択対象として操作された前記チェックボックスｇ５１に対応する前記サーバー番号Ｄ２０をキーとして前記サーバーマスター情報Ｄ２を検索することによって前記宛先情報Ｄ２１（前記確認先）を特定する。
【０１５５】
そして、前記第１追加操作アイコンｇ５２が操作された後に前記第２追加操作アイコンｇ５５が操作された場合に、前記情報処理部８は、実行する処理として前記サービス追加処理を選択する。また、前記第１ストレージサービス選択画面の前記削除操作アイコンｇ５３が操作された場合に、前記情報処理部８は、実行する処理として前記サービス削除処理を選択する。
【０１５６】
＜工程Ｓ６２＞
前記サービス追加処理が選択された場合、前記情報処理部８は、前記操作表示部８０に対する操作に従って追加の対象となる前記ストレージサービスの前記サーバー認証情報Ｄ３１を入力する。
【０１５７】
例えば、前記情報処理部８は、工程Ｓ６２において図２３に示されるようなサーバー認証情報入力画面を前記操作表示部８０に出力する。前記サーバー認証情報入力画面は、情報入力枠ｇ６１と追加操作アイコンｇ６２とを含む。
【０１５８】
前記情報入力枠ｇ６１は、前記操作表示部８０に対する操作を通じて情報を入力するユーザーインターフェイスである。前記追加操作アイコンｇ６２が操作されると、前記情報処理部８は、前記情報入力枠ｇ６１を通じた情報入力が確定したと判定する。さらに、前記情報処理部８は、前記情報入力枠ｇ６１を通じて入力された情報を追加する前記サーバー認証情報Ｄ３１として設定する。
【０１５９】
なお、図２３が示す例において、前記サーバー認証情報入力画面は中止操作アイコンｇ６３も含む。前記情報処理部８は、前記中止操作アイコンｇ６３が操作されたことを検知すると、処理を工程Ｓ６へ移行させる。これにより、再び前記ジョブ選択・実行処理が実行される。
【０１６０】
工程Ｓ６１，Ｓ６２は、前記ＭＰＵ８１がサーバー認証情報入力プログラムＰｒ１０を実行することによって実現される。前記サーバー認証情報入力プログラムＰｒ１０を実行する前記ＭＰＵ８１は、前記サーバー認証処理（第２認証処理）が成功した場合に、前記操作表示部８０（操作部）に対する操作に従って前記サーバー認証情報Ｄ３１（第１認証情報）を入力する第１認証情報入力部の一例である。
【０１６１】
＜工程Ｓ６３＞
前記追加操作アイコンｇ６２が操作されると、前記情報処理部８は、工程Ｓ６１で設定された前記サーバー認証情報Ｄ３１をこれに対応する前記宛先情報の宛先へ送信することにより、前記ストレージサーバー７に前記サーバー認証処理を要求する。
【０１６２】
工程Ｓ６３は、工程Ｓ２２，Ｓ２３と同様に、前記ＭＰＵ８１が前記サーバー認証要求プログラムＰｒ５を実行することによって実現される。また、工程Ｓ６３も前記第１認証要求工程の一例である。前記情報処理部８は、追加の対象となる前記ストレージサービスの前記サーバー認証情報Ｄ３１を入力した場合にも、前記ストレージサーバー７に前記サーバー認証処理を要求する。
【０１６３】
＜工程Ｓ６４＞
工程Ｓ６３で前記ストレージサーバー７に要求された前記サーバー認証処理が成功した場合、前記情報処理部８は、前記サーバー認証情報Ｄ３１を前記サーバーアカウント情報Ｄ３へ追加する処理を実行する。前記情報処理部８は、その追加処理の後に前記サービス追加・削除処理を終了させる。
【０１６４】
即ち、工程Ｓ６４において、前記情報処理部８は、工程Ｓ６２で入力された前記サーバー認証情報Ｄ３１（第１認証情報）と前記ログイン端末認証情報（第２認証情報）とを対応づけて前記第１記憶部８２（対応認証情報記憶部）に記録する。
【０１６５】
本実施形態では、前記情報処理部８は、前記ログイン端末認証情報の前記端末ユーザーＩＤ（Ｄ１１０）と、工程Ｓ６１で選択された前記ストレージサービスの前記サーバー番号Ｄ２０と、工程Ｓ６２で入力された前記サーバー認証情報Ｄ３１とを対応づけて前記サーバーアカウント情報Ｄ３に追加する。
【０１６６】
さらに、前記情報処理部８は、前記端末アカウント情報Ｄ１の前記登録サーバー情報Ｄ１２に、工程Ｓ６１で選択された前記ストレージサービスの前記サーバー番号Ｄ２０を追加する。その追加は、前記ログイン端末認証情報に対応づけられた前記登録サーバー情報Ｄ１２について行われる。
【０１６７】
即ち、工程Ｓ６２で入力された前記サーバー認証情報Ｄ３１（第１認証情報）は、前記サーバーアカウント情報Ｄ３に追加されるとともに、前記端末ユーザーＩＤ（Ｄ１１０）によって前記端末アカウント情報Ｄ１における前記ログイン端末情報（前記端末認証情報Ｄ１１）と関連づけられる。
【０１６８】
工程Ｓ６４は、前記ＭＰＵ８１が対応認証情報記録プログラムＰｒ１１を実行することによって実現される。前記対応認証情報記録プログラムＰｒ１１を実行する前記ＭＰＵ８１は、対応認証情報記録部の一例である。
【０１６９】
＜工程Ｓ６５＞
工程Ｓ６３で前記ストレージサーバー７に要求された前記サーバー認証処理が失敗した場合、前記操作表示部８０にエラーメッセージを出力する。その後、前記情報処理部８は、前記サービス追加・削除処理を終了させる。
【０１７０】
即ち、前記情報処理部８は、工程Ｓ６３で要求した前記サーバー認証処理が成功した場合にのみ、工程Ｓ６２で入力された前記サーバー認証情報Ｄ３１（第１認証情報）と前記ログイン端末認証情報（第２認証情報）とを対応づけて前記第１記憶部８２（対応認証情報記憶部）へ記録する（Ｓ６４）。
【０１７１】
＜工程Ｓ６６＞
前記サービス削除処理が選択された場合、前記情報処理部８は、前記ログイン端末認証情報および工程Ｓ６１で選択された前記ストレージサービスに対応する前記サーバー認証情報Ｄ３１を前記サーバーアカウント情報Ｄ３から削除する処理を実行する。
【０１７２】
さらに、前記情報処理部８は、前記ログイン端末認証情報および工程Ｓ６１で選択された前記ストレージサービスに対応する前記サーバー番号Ｄ２０を、前記端末アカウント情報Ｄ１から削除する処理を実行する。前記情報処理部８は、それら削除処理の後に前記サービス追加・削除処理を終了させる。
【０１７３】
以上に示されるように、情報処理装置の一例である前記画像処理装置１０は、それ自体の使用を可能にするための前記端末認証処理（Ｓ２１）を実行する機能を有する。
【０１７４】
前記画像処理装置１０において、工程Ｓ６２において前記サーバー認証情報Ｄ３１が１度だけ入力されれば、そのサーバー認証情報Ｄ３１が前記端末認証情報Ｄ１１に対応づけられて前記第１記憶部８２に記録される。
【０１７５】
従って、予め前記第１記憶部８２への情報登録が行われていれば、その後、工程Ｓ２において前記端末認証情報Ｄ１１が入力されるだけで、対応する前記ストレージサーバー７に対する前記サーバー認証処理の要求が自動的に実行される（Ｓ２３）。そのため、前記画像処理装置１０を使用するごとに前記端末認証情報Ｄ１１と前記サーバー認証情報Ｄ３１とを個別に入力するという煩雑な作業は不要である。
【０１７６】
また、前記画像処理装置１０において、複数の前記ストレージサーバー７との間でデータファイルのアップロードまたはダウンロードを実行したいというニーズがある。この場合でも、工程Ｓ２において前記端末認証情報Ｄ１１が入力されるだけで、対応する複数の前記ストレージサーバー７各々に対する前記サーバー認証処理の要求が自動的に実行される（Ｓ２３）。
【０１７７】
従って、前記画像処理装置１０またはそれと同様の機能を有する情報処理装置が採用されれば、前記ストレージサービスを通じてデータファイルのアップロードまたはダウンロードを含む処理を実行する場合に認証処理用の情報の入力作業を簡易化できる。
【０１７８】
また、前記情報処理部８は、前記ストレージサービスアクセス処理（Ｓ４４，Ｓ５５）の１つ以上のアクセス先を選択する機能を備える（Ｓ４１〜Ｓ４３，Ｓ５１〜Ｓ５３）。そのため、データファイルのダウンロード先またはアップロード先の選択の自由度が高く利便性が高い。
【０１７９】
また、前記情報処理部８は、前記ストレージサーバー７からアップロード済みデータファイルの情報を取得する機能を備える（Ｓ２４）。さらに、前記情報処理部８は、そのアップロード済みデータファイルの情報を出力するとともに前記操作表示部８０（操作部）に対する操作に従って、ダウンロードするデータファイルを選択する機能を備える。そのため、ダウンロードすべき前記データファイルの選択が容易となる。
【０１８０】
また、前記情報処理部８は、前記サーバー認証情報Ｄ３１を入力し（Ｓ６２）、入力情報を前記ログイン端末認証情報とを対応づけて前記第１記憶部８２へ前記サーバーアカウント情報Ｄ３として記録する機能を備える（Ｓ６４）。そのため、前記サーバーアカウント情報Ｄ３を登録するための他の端末を用意する必要がない。
【０１８１】
また、前記情報処理部８は、工程Ｓ６２で入力した前記サーバー認証情報Ｄ３１を用いた前記サーバー認証処理が成功した場合にのみ、入力した前記サーバー認証情報Ｄ３１を前記サーバーアカウント情報Ｄ３として記録する（Ｓ６３，Ｓ６４）。そのため、間違った前記サーバー認証情報Ｄ３１が登録されてしまう過誤が生じることを回避できる。
【０１８２】
[第２実施形態]
次に、図２９〜３２を参照しつつ、本発明の第２実施形態に係る画像処理装置について説明する。本実施形態に係る画像処理装置は、第１実施形態に係る画像処理装置１０の構成および機能に加え、サーバーアカウント登録・変更処理を実行する機能を備えている。以下、第２実施形態に係る画像処理装置の前記情報処理部８における、前記画像処理装置１０の前記情報処理部８に対して追加された機能について説明する。
【０１８３】
［前記ジョブ選択・実行処理］
前記情報処理部８は、前記ジョブ選択・実行処理の工程Ｓ３１（図７参照）において、例えば図２９に示されるようなジョブ選択画面を前記操作表示部８０に出力する。
【０１８４】
図２５が示す前記ジョブ選択画面は、図１４が示す前記ジョブ選択画面に含まれる前記プリント操作アイコンｇ３１、前記スキャン操作アイコンｇ３２および前記サービス追加・削除操作アイコンｇ３３に加え、サーバーアカウント登録・変更操作アイコンｇ３４を含む。
【０１８５】
前記情報処理部８は、前記ジョブ選択画面のサーバーアカウント登録・変更操作アイコンｇ３４が操作されたことを検知すると、前記サーバーアカウント登録・変更処理を実行する。
【０１８６】
［前記サーバーアカウント登録・変更処理］
前記サーバーアカウント登録・変更処理において、まず、前記情報処理部８は、工程Ｓ６１での処理と同様に、前記操作表示部８０に対する操作に従って、実行する処理とその処理の対象となる前記ストレージサービスとを選択する。
【０１８７】
選択される処理の候補は、サーバーアカウント登録処理、サーバーアカウント情報変更処理およびサーバーアカウント削除処理である。また、工程Ｓ６１での処理と同様に、前記情報処理部８は、前記操作表示部８０に対する操作に従って、複数の前記ストレージサービスを選択することも可能である。
【０１８８】
前記サーバーアカウント登録処理が選択される場合、未登録の前記ストレージサービスが処理対象として選択される。一方、前記サーバーアカウント情報変更処理または前記サーバーアカウント削除処理が選択される場合、登録済みの前記ストレージサービスが処理対象として選択される。
【０１８９】
例えば、前記サーバーアカウント登録・変更処理において、前記情報処理部８は、図３０に示されるような第３ストレージサービス選択画面を前記操作表示部８０に出力する。前記第３ストレージサービス選択画面は、選択肢となる前記ストレージサービスに対応するチェックボックスｇ７１、登録操作アイコンｇ７２、変更操作アイコンｇ７３、削除操作アイコンｇ７４および終了操作アイコンｇ７５などを含む。
【０１９０】
前記第３ストレージサービス選択画面の前記登録操作アイコンｇ７２が操作された場合、前記情報処理部８は、図２１の前記第１追加操作アイコンｇ５２が操作される場合と同様に、未登録の前記ストレージサービスを選択した上で、前記サーバーアカウント登録処理を実行する。
【０１９１】
また、前記第３ストレージサービス選択画面の前記変更操作アイコンｇ７３が操作された場合、前記情報処理部８は、図２１の前記削除操作アイコンｇ５３が操作される場合と同様に、登録済みの前記ストレージサービスのうちの１つまたは複数を選択した上で、前記サーバーアカウント情報変更処理を実行する。
【０１９２】
また、前記第３ストレージサービス選択画面の前記削除操作アイコンｇ７４が操作された場合、前記情報処理部８は、図２１の前記削除操作アイコンｇ５３が操作される場合と同様に、登録済みの前記ストレージサービスのうちの１つまたは複数を選択した上で、前記サーバーアカウント削除処理を実行する。
【０１９３】
また、前記情報処理部８は、選択された前記ストレージサービスの前記宛先情報を、前記登録、前記編集または前記削除の処理の要求先として設定する。その際、前記情報処理部８は、選択対象として操作された前記チェックボックスｇ７１に対応する前記サーバー番号Ｄ２０をキーとして前記サーバーマスター情報Ｄ２を検索することによって前記宛先情報Ｄ２１（前記要求先）を特定する。
【０１９４】
［前記サーバーアカウント登録処理］
まず、前記第３ストレージサービス選択画面の前記登録操作アイコンｇ７２が操作された場合について説明する。この場合、前記情報処理部８は前記サーバーアカウント登録処理を実行する。
【０１９５】
前記サーバーアカウント登録処理において、前記情報処理部８は、前記操作表示部８０に対する操作に従って情報を入力することにより、新たな前記サーバー認証情報Ｄ３１を含む登録用サーバーアカウント情報を設定する。
【０１９６】
例えば、前記情報処理部８は、図３１に示されるような登録用サーバーアカウント情報入力画面を前記操作表示部８０に出力する。前記登録用サーバーアカウント情報入力画面は、情報入力枠ｇ８１と登録操作アイコンｇ８２とを含む。
【０１９７】
前記情報処理部８が前記情報入力枠ｇ１５を通じて入力する前記登録用サーバーアカウント情報は、前記ストレージサービスを受けるために予め前記ストレージサーバー７への登録が必要な情報であり、前記サーバー認証情報Ｄ３１を含む。
【０１９８】
なお、図３１が示す例において、前記登録用サーバーアカウント情報入力画面は中止操作アイコンｇ８３も含む。前記情報処理部８は、前記中止操作アイコンｇ８３が操作されたことを検知すると、処理を工程Ｓ６へ移行させる。
【０１９９】
前記登録用サーバーアカウント情報を入力する処理は、前記ＭＰＵ８１がストレージサービス登録情報設定プログラムＰｒ１２を実行することによって実現される。前記ストレージサービス登録情報設定プログラムＰｒ１２を実行する前記ＭＰＵ８１が、ストレージサービス登録情報設定部の一例である。
【０２００】
さらに、前記情報処理部８は、前記サーバーアカウント登録処理において、設定した前記登録用サーバーアカウント情報を登録先の前記宛先情報の宛先へ送信する。これにより、前記情報処理部８は、前記ストレージサーバー７に前記登録用サーバーアカウント情報の登録処理を要求する。
【０２０１】
また、複数の前記ストレージサービスが前記登録用サーバーアカウント情報の登録先として選択されている場合、前記情報処理部８は、設定した１つの前記登録用サーバーアカウント情報を複数の登録先各々に対して前記登録用サーバーアカウント情報の登録処理を要求する。これにより、簡易な操作によって複数の前記ストレージサーバー７に対する前記サーバーアカウント登録処理が一括して実行される。
【０２０２】
前記登録用サーバーアカウント情報の登録を要求する処理は、前記ＭＰＵ８１がストレージサービスアカウント登録要求プログラムＰｒ１３を実行することによって実現される。前記ストレージサービスアカウント登録要求プログラムＰｒ１３を実行する前記ＭＰＵ８１が、ストレージサービスアカウント登録要求部の一例である。
【０２０３】
そして、前記ストレージサーバー７に要求された前記登録用サーバーアカウント情報の登録処理が完了した場合に、前記情報処理部８は、図１０の工程Ｓ６４と同様に、入力された前記サーバー認証情報Ｄ３１（第１認証情報）と前記ログイン端末認証情報（第２認証情報）とを対応づけて前記第１記憶部８２（対応認証情報記憶部）へ記録する。
【０２０４】
また、複数の前記ストレージサーバー７において前記登録用サーバーアカウント情報の登録処理が完了した場合、前記情報処理部８は、複数の前記ストレージサーバー７各々の前記サーバー番号Ｄ２０について、前記サーバー認証情報Ｄ３１（第１認証情報）の前記第１記憶部８２（対応認証情報記憶部）への記録を実行する。
【０２０５】
［前記サーバーアカウント情報変更処理］
次に、前記第３ストレージサービス選択画面の前記変更操作アイコンｇ７３が操作された場合について説明する。この場合、前記情報処理部８は前記サーバーアカウント情報変更処理を実行する。
【０２０６】
前記サーバーアカウント情報変更処理において、前記情報処理部８は、前記操作表示部８０に対する操作に従って情報を入力することにより、前記ストレージサーバー７に登録済みの前記サーバー認証情報Ｄ３１を含む登録済みサーバーアカウント情報を変更するための変更用アカウント情報を設定する。
【０２０７】
例えば、前記情報処理部８は、図３２に示されるような変更用サーバーアカウント情報入力画面を前記操作表示部８０に出力する。前記変更用サーバーアカウント情報入力画面は、前記情報入力枠ｇ８１と変更操作アイコンｇ８４とを含む。
【０２０８】
前記情報処理部８が前記情報入力枠ｇ１５を通じて入力する前記変更用サーバーアカウント情報は、前記ストレージサービスを受けるために予め前記ストレージサーバー７に登録された前記登録済みサーバーアカウント情報を変更するための情報である。
【０２０９】
なお、図３２が示す例において、前記変更用サーバーアカウント情報入力画面は前記中止操作アイコンｇ８３も含む。前記情報処理部８は、前記中止操作アイコンｇ８３が操作されたことを検知すると、処理を工程Ｓ６へ移行させる。
【０２１０】
前記変更用サーバーアカウント情報を入力する処理は、前記ＭＰＵ８１がストレージサービス登録情報設定プログラムＰｒ１２を実行することによって実現される。
【０２１１】
さらに、前記情報処理部８は、前記サーバーアカウント情報変更処理において、設定した前記変更用サーバーアカウント情報を、前記第３ストレージサーバー選択画面を通じて選択した前記ストレージサービスの前記宛先情報の宛先へ送信する。これにより、前記情報処理部８は、前記ストレージサーバー７に前記登録済みサーバーアカウント情報の変更処理を要求する。
【０２１２】
前記登録済みサーバーアカウント情報の変更を要求する処理は、前記ＭＰＵ８１がサーバーアカウント情報変更要求プログラムＰｒ１４を実行することによって実現される。
【０２１３】
そして、前記ストレージサーバー７に要求された前記登録済みサーバーアカウント情報の変更が完了した場合に、前記情報処理部８は、前記第１記憶部８２の前記サーバーアカウント情報Ｄ３を前記変更用サーバーアカウント情報の内容と合致するように更新する。
【０２１４】
［前記サーバーアカウント削除処理］
次に、前記第３ストレージサービス選択画面の前記変更操作アイコンｇ７３が操作された場合について説明する。この場合、前記情報処理部８は前記サーバーアカウント削除処理を実行する。
【０２１５】
前記サーバーアカウント削除処理において、前記情報処理部８は、前記第３ストレージサーバー選択画面を通じて選択した前記ストレージサービスの前記宛先情報の宛先へ前記登録済みサーバーアカウント情報の削除処理を要求する。
【０２１６】
また、複数の前記ストレージサービスが削除対象として選択されている場合、前記情報処理部８は、選択された複数の前記ストレージサービス各々の前記宛先情報の宛先へ前記登録済みサーバーアカウント情報の削除処理を要求する。これにより、簡易な操作によって複数の前記ストレージサーバー７に対する前記サーバーアカウント削除処理が一括して実行される。
【０２１７】
前記登録済みサーバーアカウント情報の削除を要求する処理は、前記ＭＰＵ８１がストレージサービスアカウント削除要求プログラムＰｒ１５を実行することによって実現される。
【０２１８】
そして、前記ストレージサーバー７に要求された前記登録済みサーバーアカウント情報の削除が完了した場合に、前記情報処理部８は、前記第１記憶部８２における前記端末アカウント情報Ｄ１および前記サーバーアカウント情報Ｄ３から、削除された前記登録済みサーバーアカウント情報に対応する情報を削除する。
【０２１９】
本実施形態に係る画像処理装置によれば、他の端末装置を用いることなく当該画像処理装置に対する操作によって前記ストレージサーバー７のアカウントの登録および削除などが可能である。
【０２２０】
[応用例]
工程Ｓ６２において、前記サービス追加処理のための前記ストレージサービスの前記サーバー認証情報Ｄ３１が、前記操作表示部８０（操作部）に対する操作に従った文字または記号などの入力以外の方法で設定されることも考えられる。同様に、前記サーバーアカウント追加処理のための前記サーバー認証情報Ｄ３１を含む前記登録用サーバーアカウント情報が、前記操作表示部８０（操作部）に対する操作に従った文字または記号などの入力以外の方法で設定されることも考えられる。
【０２２１】
また、工程Ｓ１１，Ｓ１２において、前記端末認証用入力情報が、前記操作表示部８０（操作部）に対する操作に従った文字または記号などの入力以外の方法で入力されることも考えられる。
【０２２２】
例えば、前記情報処理部８が、ユーザーの指紋情報または顔画像などの生態情報を、生態情報入力装置を通じて前記サーバー認証情報Ｄ３１または前記端末認証用入力情報として入力することが考えられる。この場合、前記画像処理装置１０は、指紋読取センサーまたは顔画像を撮影するカメラなどの前記生態情報入力装置を備える。
【０２２３】
また、第２実施形態において、複数の前記ストレージサービスが前記登録用サーバーアカウント情報の登録先として選択されている場合に、前記情報処理部８が、以下のようにして前記ストレージサービスごとに異なる前記サーバー認証情報Ｄ３１を設定することも考えられる。
【０２２４】
例えば、前記ストレージサービス登録情報設定プログラムＰｒ１２を実行する前記ＭＰＵ８１が、まず、前記操作表示部８０に対する操作に従って複数の前記サーバー認証情報Ｄ３１に共通の基本情報を設定する。さらに、前記ＭＰＵ８１が、前記基本情報に対して前記宛先情報Ｄ２１ごとに異なる付加情報を自動的に付加する。この場合、前記ＭＰＵ８１は、複数の前記宛先情報各々に対応する複数種類の前記サーバー認証情報Ｄ３１各々を自動的に設定することが可能である。
【０２２５】
また、前記情報処理部８が、前記サーバーマスター情報Ｄ２に新たな前記ストレージサービスの情報を追加登録する機能を備えることも考えられる。
【０２２６】
また、前記画像処理装置１０が、前記ストレージサービスに関する一部の機能ごとに独立した装置で構成されることも考えられる。例えば、前記第１記憶部８２における前記端末アカウント情報Ｄ１、前記サーバーマスター情報Ｄ２および前記サーバーアカウント情報Ｄ３を記憶する部分が、前記画像読取部１１および前記画像形成部４を備える前記画像処理装置１０の本体部から独立した記憶装置であることが考えられる。
【０２２７】
また、前記情報処理部８における前記端末認証処理および前記ストレージサーバー７への前記サーバー認証処理の要求処理などの一部の機能を実現する部分が、前記画像読取部１１および前記画像形成部４を備える前記画像処理装置１０の本体部から独立した装置で構成されることも考えられる。
【０２２８】
また、前記操作表示部８０が、前記画像読取部１１および前記画像形成部４を備える前記画像処理装置１０の本体部との間で無線通信が可能なタブレットコンピューターまたは携帯情報端末（例えば、スマートフォン）などの端末装置であることも考えられる。
【０２２９】
なお、本発明に係る情報処理装置、画像処理装置、ストレージサービス利用方法およびストレージサービス利用プログラムは、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【０２３０】
１        ：原稿搬送読取部
２        ：シート供給部
３        ：シート搬送部
４        ：画像形成部
５        ：光走査部
６        ：定着部
７        ：ストレージサーバー
８        ：情報処理部
９        ：記録シート
１０      ：画像処理装置
１１      ：画像読取部
２１      ：シート受部
２２      ：シート送出部
３０      ：搬送路
３１      ：レジストローラー
３２      ：搬送ローラー
３３      ：排出ローラー
４１      ：感光体（像担持体）
４２      ：帯電部
４３      ：現像部
４５      ：転写部
４７      ：クリーニング部
６１      ：定着ローラー
６２      ：加圧ローラー
７０      ：ネットワーク
８０      ：操作表示部
８１      ：ＭＰＵ
８２      ：第１記憶部
８３      ：第２記憶部
８４      ：信号インターフェイス
８５      ：通信部
９０      ：原稿
１０１    ：排出トレイ
１１１    ：原稿台
１１２    ：読取ユニット
１１３    ：光学系
１１４    ：ＣＣＤ
１２１    ：原稿載置部
１２２    ：搬送ローラー
１２３    ：排紙トレイ
Ｄ１      ：端末アカウント情報
Ｄ２      ：サーバーマスター情報
Ｄ３      ：サーバーアカウント情報
Ｄ４      ：データファイル情報
Ｐｒ１    ：端末認証用情報入力プログラム
Ｐｒ２    ：記録情報設定プログラム
Ｐｒ３    ：端末アカウント登録プログラム
Ｐｒ４    ：端末認証プログラム
Ｐｒ５    ：サーバー認証要求プログラム
Ｐｒ６    ：データファイル情報取得プログラム
Ｐｒ７    ：ストレージサービスアクセス先選択プログラム
Ｐｒ８    ：ストレージサービスアクセスプログラム
Ｐｒ９    ：ストレージサービスアクセス先選択プログラム
Ｐｒ１０  ：サーバー認証情報入力プログラム
Ｐｒ１１  ：対応認証情報記録プログラム
Ｐｒ１２  ：ストレージサービス登録情報設定プログラム
Ｐｒ１３  ：ストレージサービスアカウント登録要求プログラム
Ｐｒ１４  ：サーバーアカウント情報変更要求プログラム
Ｐｒ１５  ：ストレージサービスアカウント削除要求プログラム
【図１】
2017156777.tif 000003
【図２】
2017156777.tif 000004
【図３】
2017156777.tif 000005
【図４】
2017156777.tif 000006
【図５】
2017156777.tif 000007
【図６】
2017156777.tif 000008
【図７】
2017156777.tif 000009
【図８】
2017156777.tif 000010
【図９】
2017156777.tif 000011
【図１０】
2017156777.tif 000012
【図１１】
2017156777.tif 000013
【図１２】
2017156777.tif 000014
【図１３】
2017156777.tif 000015
【図１４】
2017156777.tif 000016
【図１５】
2017156777.tif 000017
【図１６】
2017156777.tif 000018
【図１７】
2017156777.tif 000019
【図１８】
2017156777.tif 000020
【図１９】
2017156777.tif 000021
【図２０】
2017156777.tif 000022
【図２１】
2017156777.tif 000023
【図２２】
2017156777.tif 000024
【図２３】
2017156777.tif 000025
【図２４】
2017156777.tif 000026
【図２５】
2017156777.tif 000027
【図２６】
2017156777.tif 000028
【図２７】
2017156777.tif 000029
【図２８】
2017156777.tif 000030
【図２９】
2017156777.tif 000031
【図３０】
2017156777.tif 000032
【図３１】
2017156777.tif 000033
【図３２】
2017156777.tif 000034